(57)【特許請求の範囲】
【請求項１】
リーダ部を有し、利用者が携行するＩＣカードのカード識別情報を読み取ることにより第１動作を行う第１装置と、
情報の書き込み及び消去が可能であり書き込んだ情報を前記第１装置の前記リーダ部によって読み取りが可能な第１記憶領域と、前記カード識別情報を記憶するカード識別情報領域と、を有する前記ＩＣカードと、
に対して通信可能な受付装置であって、
リーダライタ部と、
前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部と、
を備えること、
を特徴とする受付装置。
【請求項２】
請求項１に記載の受付装置において、
前記ＩＣカードは、前記ＩＣカードの利用開始受付前において、前記第１記憶領域に、前記カード識別情報を記憶していないか、又は前記第１装置の所定の動作を許可しないデータを記憶しており、
第１カード処理部は、前記ＩＣカードの利用開始受付時の操作に応じて、前記第１処理を行うこと、
を特徴とする受付装置。
【請求項３】
請求項１又は請求項２に記載の受付装置において、
前記第１カード処理部は、利用終了受付時の操作に応じて、前記第１記憶領域に記憶されている前記カード識別情報を消去させるか、又は前記第１記憶領域に前記第１装置の所定の動作を許可しないデータを書き込ませるように前記リーダライタ部を制御すること、
を特徴とする受付装置。
【請求項４】
請求項１から請求項３までのいずれかに記載の受付装置において、
前記第１カード処理部は、前記リーダライタ部が前記カード識別情報領域の前記カード識別情報を読み取ったことを契機として書き込む処理を行うこと、
を特徴とする受付装置。
【請求項５】
請求項１から請求項４までのいずれかに記載の受付装置において、
前記ＩＣカードは、情報の書き込み及び消去が可能であり書き込んだ情報を、リーダ部を有し、前記ＩＣカードを読み取ることにより第２動作を行う第２装置の前記リーダ部によって読み取りが可能な第２記憶領域をさらに有し、
前記ＩＣカードの利用開始受付時の操作に応じて、前記リーダライタ部を制御して、前記利用者を識別する利用者識別情報を前記第２記憶領域に書き込ませる第２処理を行う第２カード処理部を備えること、
を特徴とする受付装置。
【請求項６】
請求項５に記載の受付装置において、
前記利用者に関する利用者情報と、前記利用者識別情報とを記憶する利用者情報記憶部と、
前記利用者情報の入力を受け付ける利用者情報受付部と、
前記利用者情報受付部による入力に基づいて前記利用者情報記憶部を検索して前記利用者を特定する利用者特定部と、
を備え、
前記第２カード処理部は、前記利用者特定部により特定された前記利用者の前記利用者識別情報を前記第２記憶領域に書き込ませること、
を特徴とする受付装置。
【請求項７】
請求項５又は請求項６に記載の受付装置において、
前記ＩＣカードの前記第２記憶領域は、前記ＩＣカードの利用開始受付前において、前記利用者識別情報を記憶していない状態か、又は前記第２装置の第２動作を許可しないデータを記憶しており、
前記第２カード処理部は、前記ＩＣカードの利用開始受付時の操作に応じて、前記第２処理を行うこと、
を特徴とする受付装置。
【請求項８】
請求項５から請求項７までのいずれかに記載の受付装置において、
前記第２カード処理部は、利用終了受付時の操作に応じて、前記第２記憶領域に記憶されている前記利用者識別情報を消去させるか、又は前記第２記憶領域に前記第２装置の第２動作を許可しないデータを書き込ませるように前記リーダライタ部を制御すること、
を特徴とする受付装置。
【請求項９】
請求項５から請求項８までのいずれかに記載の受付装置において、
前記第２カード処理部は、前記第１カード処理部による前記第１処理と同時に、前記第２処理を行うこと、
を特徴とする受付装置。
【請求項１０】
請求項１から請求項９までのいずれかに記載の受付装置において、
前記ＩＣカードは、前記利用者に貸出可能な貸出用カードであり、
前記利用者に関する利用者情報と、前記利用者を識別する利用者識別情報とを記憶する利用者情報記憶部と、
前記ＩＣカードの前記カード識別情報を記憶する貸出用カード記憶部と、
前記利用者情報の入力を受け付ける利用者情報受付部と、
前記利用者情報受付部による入力に基づいて前記利用者情報記憶部を検索して前記利用者を特定する利用者特定部と、
前記利用者に貸出する前記ＩＣカードに対応する一の前記カード識別情報を、前記貸出用カード記憶部から取得する貸出用カード取得部と、
を備え、
前記第１カード処理部は、前記貸出用カード取得部により前記一のカード識別情報が取得されたことに応じて、前記一のカード識別情報を有する前記ＩＣカードに前記第１処理を行い、
前記利用者が所有するＩＣカードである本カードを用いることにより前記第１装置に第１動作を行わせないように、前記第１装置に前記利用者識別情報を送信する貸出処理部を備えること、
を特徴とする受付装置。
【請求項１１】
リーダ部を有し、利用者が携行するＩＣカードのカード識別情報を読み取ることにより第１動作を行う第１装置と、
リーダ部を有し、前記ＩＣカードを読み取ることにより第２動作を行う第２装置と、
受付装置と、
ＩＣカードと、
からなるカード識別情報管理システムであって、
前記ＩＣカードは、
情報の書き込み及び消去が可能であり書き込んだ情報を前記第１装置の前記リーダ部によって読み取りが可能な第１記憶領域と、
前記カード識別情報を記憶するカード識別情報領域と、
前記第２装置の前記リーダ部によって読み取りが可能な第２記憶領域と、
を備え、
前記受付装置は、
リーダライタ部と、
前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部と、
前記ＩＣカードの利用開始受付時の操作に応じて、前記リーダライタ部を制御して、前記利用者を識別する利用者識別情報を前記第２記憶領域に書き込ませる第２処理を行う第２カード処理部と、
を備えること、
を特徴とするカード識別情報管理システム。
【請求項１２】
請求項１１に記載のカード識別情報管理システムにおいて、
前記第１装置と、前記受付装置とは、通信ネットワークを介して接続され、所定の時間間隔で通信し、
前記第１装置は、
前記第１装置の第１動作を可能とする前記カード識別情報と、第１動作を可能とする条件である付随情報とを関連付けて記憶する記憶部と、
前記記憶部に記憶された前記カード識別情報と、前記ＩＣカードから読み取った前記第１記憶領域に記憶されている前記カード識別情報とを照合する照合部と、
前記照合部による照合の結果、前記カード識別情報が一致する場合に、そのカード識別情報に対応する前記付随情報をその第１装置が満たすときには、前記第１装置の第１動作を可能とする動作許可部と、
を備え、
前記受付装置は、前記カード識別情報と、前記付随情報とを関連付けて送信する送信部を備え、
前記第１装置は、前記受付装置から送信された前記カード識別情報と、前記付随情報とを関連付けて前記記憶部に記憶させる更新部を備えること、
を特徴とするカード識別情報管理システム。
【請求項１３】
請求項１２に記載のカード識別情報管理システムにおいて、
前記ＩＣカードは、前記利用者に貸出可能な貸出用カードであり、
前記受付装置は、
前記利用者に関する利用者情報と、前記利用者を識別する利用者識別情報とを記憶する利用者情報記憶部と、
前記ＩＣカードの前記カード識別情報を記憶する貸出用カード記憶部と、
前記利用者情報の入力を受け付ける利用者情報受付部と、
前記利用者情報受付部による入力に基づいて前記利用者情報記憶部を検索して前記利用者を特定する利用者特定部と、
前記利用者に貸出する前記ＩＣカードに対応する一の前記カード識別情報を、前記貸出用カード記憶部から取得する貸出用カード取得部と、
を備え、
前記受付装置の前記第１カード処理部は、前記貸出用カード取得部により前記一のカード識別情報が取得されたことに応じて、前記一のカード識別情報を有する前記ＩＣカードに前記第１処理を行い、
前記受付装置の前記送信部は、前記利用者識別情報と、前記第１動作を不可とする条件を含む前記付随情報とを関連付けて送信し、
前記第１装置の前記記憶部は、前記第１装置の第１動作を可能とする前記利用者識別情報と、前記付随情報とを関連付けて記憶しており、
前記第１装置の前記更新部は、前記受付装置から送信された前記利用者識別情報と、前記付随情報とを関連付けて前記記憶部に記憶させること、
を特徴とするカード識別情報管理システム。
【請求項１４】
請求項１１から請求項１３までのいずれかに記載のカード識別情報管理システムにおいて、
前記第１装置は、利用者の通行を管理するゲートであること、
を特徴とするカード識別情報管理システム。
【請求項１５】
請求項１１から請求項１４までのいずれかに記載のカード識別情報管理システムにおいて、
前記第２装置は、
前記第２装置の第２動作を可能とする前記利用者識別情報を記憶する記憶部と、
前記記憶部に記憶された前記利用者識別情報と、前記ＩＣカードから読み取った前記第２記憶領域に記憶されている前記利用者識別情報とを照合する照合部と、
前記照合部による照合の結果、前記利用者識別情報が一致する場合に、前記第２装置の第２動作を可能とする動作許可部と、
を備えること、
を特徴とするカード識別情報管理システム。
【請求項１６】
請求項１５に記載のカード識別情報管理システムにおいて、
前記第２装置は、前記利用者識別情報が関連付けられたデータに対して処理を行う装置であること、
を特徴とするカード識別情報管理システム。
【請求項１７】
リーダライタ部を備えたコンピュータである受付装置で実行するプログラムであって、
前記受付装置を、
前記リーダライタ部を介して、利用者が携行するＩＣカードの識別情報を記憶するカード識別情報領域に記憶された前記識別情報を読み取り、前記ＩＣカードの識別情報を読み取ることにより第１動作を行う第１装置のリーダ部による読み取りが可能な第１記憶領域に読み取った前記識別情報を書き込ませる第１書き込み手段と、
前記ＩＣカードを読み取ることにより第２動作を行う第２装置の前記リーダ部による読み取りが可能な第２記憶領域に読み取った前記識別情報を書き込ませる第２書き込み手段と、
して機能させること、
を特徴とするプログラム。
【請求項１８】
請求項１７に記載のプログラムにおいて、
前記受付装置を、
前記利用者に関する利用者情報入力を受け付ける利用者情報受付手段と、
前記利用者情報受付手段による入力に基づいて前記利用者を特定する利用者特定手段と、
前記利用者特定手段により特定した前記利用者のＩＣカードの利用状況と、前記第１書き込み手段による書き込みがされた前記ＩＣカードの利用状況とを画面出力する画面出力手段と、
して機能させること、
を特徴とするプログラム。
【請求項１９】
リーダライタ部と、
前記リーダライタ部を介して、利用者が携行するＩＣカードの識別情報を記憶するカード識別情報領域に記憶された前記識別情報を読み取り、前記ＩＣカードの識別情報を読み取ることにより第１動作を行う第１装置のリーダ部による読み取りが可能な第１記憶領域に読み取った前記識別情報を書き込ませる第１カード処理部と、
前記ＩＣカードを読み取ることにより第２動作を行う第２装置の前記リーダ部による読み取りが可能な第２記憶領域に読み取った前記識別情報を書き込ませる第２カード処理部と、
前記利用者に関する利用者情報入力を受け付ける利用者情報受付部と、
前記利用者情報受付部による入力に基づいて前記利用者を特定する利用者特定部と、
前記利用者特定部により特定した前記利用者のＩＣカードの利用状況と、前記第１カード処理部による書き込みがされた前記ＩＣカードの利用状況とを画面出力する画面出力部と、
を備える受付装置。
【発明の詳細な説明】
【技術分野】
【０００１】
本発明は、受付装置、カード識別情報管理システム及びプログラムに関する。
【背景技術】
【０００２】
従来、セキュリティの確保が必要なオフィスや、マシンルーム等のエリアへの入室を、特定の認められた利用者に限定する様々な方法が示されている。例えば、ＩＣカードに必要な利用者の個人情報が予め入力させておき、ドアの横の壁や、ゲート等のエリアへの入室部分に設けられたＩＣカードのリーダライタに、ＩＣカード内の個人情報を読み取らせる。そのようにすることで、リーダライタに対して接続されている制御装置が、入室可能であるか否かを判断して、入室が可能な場合には、ドアを開錠したり、ゲートを開けたりすることで、セキュリティを確保している（例えば、特許文献１）。
【先行技術文献】
【特許文献】
【０００３】
【特許文献１】特開平１１−３３６３８６号公報
【発明の概要】
【発明が解決しようとする課題】
【０００４】
特許文献１は、個人識別情報に基づいて入館の都度適宜なＩＤを設定し、このＩＤ情報によりＩＤカードを作成することで、利用者は、入館時にこのＩＤカードの給付を受けるものであった。よって、都度ＩＤを設定してＩＤカードを作成するものであった。よって、セキュリティの確保が必要なエリアへの入室に必要なカードの発行作業が煩雑なものであった。
【０００５】
そこで、本発明は、セキュリティの確保が必要なエリアへの入室に必要なカードの発行作業がより容易に行える受付装置及びカード識別情報管理システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、リーダ部（６０）を有し、利用者（Ｐ，Ａ）が携行するＩＣカード（７，３０７）のカード識別情報を読み取ることにより第１動作を行う第１装置（４，３０４）と、情報の書き込み及び消去が可能であり書き込んだ情報を前記第１装置の前記リーダ部によって読み取りが可能な第１記憶領域（８１）と、前記カード識別情報を記憶するカード識別情報領域（８２）と、を有する前記ＩＣカードと、に対して通信可能な受付装置（１，２０１，３０１）であって、リーダライタ部（３０）と、前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部（１１，２１１）と、を備えること、を特徴とする受付装置である。
第２の発明は、第１の発明の受付装置（１，２０１，３０１）において、前記ＩＣカード（７，３０７）は、前記ＩＣカードの利用開始受付前において、前記第１記憶領域（８１）に、前記カード識別情報を記憶していないか、又は前記第１装置（４，３０４）の所定の動作を許可しないデータを記憶しており、第１カード処理部（１１，２１１）は、前記ＩＣカードの利用開始受付時の操作に応じて、前記第１処理を行うこと、を特徴とする受付装置である。
第３の発明は、第１の発明又は第２の発明の受付装置（１，２０１，３０１）において、前記第１カード処理部（１１，２１１）は、利用終了受付時の操作に応じて、前記第１記憶領域（８１）に記憶されている前記カード識別情報を消去させるか、又は前記第１記憶領域に前記第１装置（４，３０４）の所定の動作を許可しないデータを書き込ませるように前記リーダライタ部（３０）を制御すること、を特徴とする受付装置である。
第４の発明は、第１の発明から第３の発明までのいずれかの受付装置（１，２０１，３０１）において、前記第１カード処理部（１１，２１１）は、前記リーダライタ部（３０）が前記カード識別情報領域（８２）の前記カード識別情報を読み取ったことを契機として書き込む処理を行うこと、を特徴とする受付装置である。
第５の発明は、第１の発明から第４の発明までのいずれかの受付装置（３０１）において、前記ＩＣカード（３０７）は、情報の書き込み及び消去が可能であり書き込んだ情報を、リーダ部（３９８）を有し、前記ＩＣカードを読み取ることにより第２動作を行う第２装置（３０９）の前記リーダ部によって読み取りが可能な第２記憶領域（３８３）をさらに有し、前記ＩＣカードの利用開始受付時の操作に応じて、前記リーダライタ部（３０）を制御して、前記利用者（Ａ）を識別する利用者識別情報を前記第２記憶領域に書き込ませる第２処理を行う第２カード処理部（３１７）を備えること、を特徴とする受付装置である。
第６の発明は、第５の発明の受付装置（３０１）において、前記利用者（Ａ）に関する利用者情報と、前記利用者識別情報とを記憶する利用者情報記憶部（３２３）と、前記利用者情報の入力を受け付ける利用者情報受付部（３１５）と、前記利用者情報受付部による入力に基づいて前記利用者情報記憶部を検索して前記利用者を特定する利用者特定部（３１６）と、を備え、前記第２カード処理部（３１７）は、前記利用者特定部により特定された前記利用者の前記利用者識別情報を前記第２記憶領域（３８３）に書き込ませること、を特徴とする受付装置である。
第７の発明は、第５の発明又は第６の発明の受付装置（３０１）において、前記ＩＣカード（３０７）の前記第２記憶領域（３８３）は、前記ＩＣカードの利用開始受付前において、前記利用者識別情報を記憶していない状態か、又は前記第２装置（３０９）の第２動作を許可しないデータを記憶しており、前記第２カード処理部（３１７）は、前記ＩＣカードの利用開始受付時の操作に応じて、前記第２処理を行うこと、を特徴とする受付装置である。
第８の発明は、第５の発明から第７の発明までのいずれかの受付装置（３０１）において、前記第２カード処理部（３１７）は、利用終了受付時の操作に応じて、前記第２記憶領域（３８３）に記憶されている前記利用者識別情報を消去させるか、又は前記第２記憶領域に前記第２装置（３０９）の第２動作を許可しないデータを書き込ませるように前記リーダライタ部（３０）を制御すること、を特徴とする受付装置である。
第９の発明は、第５の発明から第８の発明までのいずれかの受付装置（３０１）において、前記第２カード処理部（３１７）は、前記第１カード処理部（２１１）による前記第１処理と同時に、前記第２処理を行うこと、を特徴とする受付装置である。
第１０の発明は、第１の発明から第９の発明までのいずれかの受付装置（３０１）において、前記ＩＣカード（３０７）は、前記利用者（Ａ）に貸出可能な貸出用カードであり、前記利用者に関する利用者情報と、前記利用者を識別する利用者識別情報とを記憶する利用者情報記憶部（３２３）と、前記ＩＣカードの前記カード識別情報を記憶する貸出用カード記憶部（２４）と、前記利用者情報の入力を受け付ける利用者情報受付部（３１５）と、前記利用者情報受付部による入力に基づいて前記利用者情報記憶部を検索して前記利用者を特定する利用者特定部（３１６）と、前記利用者に貸出する前記ＩＣカードに対応する一の前記カード識別情報を、前記貸出用カード記憶部から取得する貸出用カード取得部（３１８）と、を備え、前記第１カード処理部（２１１）は、前記貸出用カード取得部により前記一のカード識別情報が取得されたことに応じて、前記一のカード識別情報を有する前記ＩＣカードに前記第１処理を行い、前記利用者が所有するＩＣカードである本カードを用いることにより前記第１装置（３０４）に第１動作を行わせないように、前記第１装置に前記利用者識別情報を送信する貸出処理部（３１９）を備えること、を特徴とする受付装置である。
【０００８】
第１１の発明は、リーダ部（６０）を有し、利用者（Ａ）が携行するＩＣカード（３０７）のカード識別情報を読み取ることにより第１動作を行う第１装置（３０４）と、リーダ部（３９８）を有し、前記ＩＣカードを読み取ることにより第２動作を行う第２装置（３０９）と、受付装置（３０１）と、ＩＣカードと、からなるカード識別情報管理システム（３００）であって、前記ＩＣカードは、情報の書き込み及び消去が可能であり書き込んだ情報を前記第１装置の前記リーダ部によって読み取りが可能な第１記憶領域（８１）と、前記カード識別情報を記憶するカード識別情報領域（８２）と、前記第２装置の前記リーダ部によって読み取りが可能な第２記憶領域（３８３）と、を備え、前記受付装置は、リーダライタ部（３０）と、前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部（２１１）と、前記ＩＣカードの利用開始受付時の操作に応じて、前記リーダライタ部を制御して、前記利用者を識別する利用者識別情報を前記第２記憶領域に書き込ませる第２処理を行う第２カード処理部（３１７）と、を備えること、を特徴とするカード識別情報管理システムである。
第１２の発明は、第１１の発明のカード識別情報管理システム（３００）において、前記第１装置（３０４）と、前記受付装置（３０１）とは、通信ネットワーク（Ｎ）を介して接続され、所定の時間間隔で通信し、前記第１装置は、前記第１装置の第１動作を可能とする前記カード識別情報と、第１動作を可能とする条件である付随条件情報とを関連付けて記憶する記憶部（３５０）と、前記記憶部に記憶された前記カード識別情報と、前記ＩＣカードから読み取った前記第１記憶領域に記憶されている前記カード識別情報とを照合する照合部（３４１）と、前記照合部による照合の結果、前記カード識別情報が一致する場合に、そのカード識別情報に対応する前記付随条件情報をその第１装置が満たすときには、前記第１装置の第１動作を可能とする動作許可部（４２）と、を備え、前記受付装置は、前記カード識別情報と、前記付随条件情報とを関連付けて送信する送信部（１２）を備え、前記第１装置は、前記受付装置から送信された前記カード識別情報と、前記付随条件情報とを関連付けて前記記憶部に記憶させる更新部（３４３）を備えること、を特徴とするカード識別情報管理システムである。
第１３の発明は、第１２の発明のカード識別情報管理システム（３００）において、前記ＩＣカード（３０７）は、前記利用者（Ａ）に貸出可能な貸出用カードであり、前記受付装置（３０１）は、前記利用者に関する利用者情報と、前記利用者を識別する利用者識別情報とを記憶する利用者情報記憶部（３２３）と、前記ＩＣカードの前記カード識別情報を記憶する貸出用カード記憶部（２４）と、前記利用者情報の入力を受け付ける利用者情報受付部（３１５）と、前記利用者情報受付部による入力に基づいて前記利用者情報記憶部を検索して前記利用者を特定する利用者特定部（３１６）と、前記利用者に貸出する前記ＩＣカードに対応する一の前記カード識別情報を、前記貸出用カード記憶部から取得する貸出用カード取得部（３１８）と、を備え、前記受付装置の前記第１カード処理部（２１１）は、前記貸出用カード取得部により前記一のカード識別情報が取得されたことに応じて、前記一のカード識別情報を有する前記ＩＣカードに前記第１処理を行い、前記受付装置の前記送信部（１２）は、前記利用者識別情報と、前記第１動作を不可とする条件を含む前記付随条件情報とを関連付けて送信し、前記第１装置（３０４）の前記記憶部（３５０）は、前記第１装置の第１動作を可能とする前記利用者識別情報と、前記付随条件情報とを関連付けて記憶しており、前記第１装置の前記更新部（３４３）は、前記受付装置から送信された前記利用者識別情報と、前記付随条件情報とを関連付けて前記記憶部に記憶させること、を特徴とするカード識別情報管理システムである。
第１４の発明は、第１１の発明から第１３の発明までのいずれかのカード識別情報管理システム（３００）において、前記第１装置（３０４）は、利用者（Ａ）の通行を管理するゲートであること、を特徴とするカード識別情報管理システムである。
第１５の発明は、第１１の発明から第１４の発明までのいずれかのカード識別情報管理システム（３００）において、前記第２装置（３０９）は、前記第２装置の第２動作を可能とする前記利用者識別情報を記憶する記憶部（３９６）と、前記記憶部に記憶された前記利用者識別情報と、前記ＩＣカード（３０７）から読み取った前記第２記憶領域（３８３）に記憶されている前記利用者識別情報とを照合する照合部（３９１）と、前記照合部による照合の結果、前記利用者識別情報が一致する場合に、前記第２装置の第２動作を可能とする動作許可部（３９２）と、を備えること、を特徴とするカード識別情報管理システムである。
第１６の発明は、第１５の発明のカード識別情報管理システム（３００）において、前記第２装置（３０９）は、前記利用者識別情報が関連付けられたデータに対して処理を行う装置であること、を特徴とするカード識別情報管理システムである。
【発明の効果】
【０００９】
本発明によれば、セキュリティの確保が必要なエリアへの入室に必要なカードの発行作業がより容易に行える受付装置及びカード識別情報管理システムを提供することができる。
【図面の簡単な説明】
【００１０】
【図１】第１実施形態に係るカード識別情報管理システムの全体構成を示す図である。
【図２】第１実施形態に係るカード識別情報管理システムの機能構成を示す図である。
【図３】第１実施形態に係る受付システムに記憶されたデータベースの例を示す図である。
【図４】第１実施形態に係るゲートシステムに記憶されたデータベースの例を示す図である。
【図５】第１実施形態に係るカード識別情報管理システムでの貸出処理のフローチャートである。
【図６】第１実施形態に係るゲートシステムでの照合処理のフローチャートである。
【図７】第１実施形態に係るカード識別情報管理システムでの返却処理のフローチャートである。
【図８】第２実施形態に係るカード識別情報管理システムの機能構成を示す図である。
【図９】第２実施形態に係る受付システムに記憶されたグループＤＢの例を示す図である。
【図１０】第２実施形態に係るカード識別情報管理システムでの貸出処理のフローチャートである。
【図１１】第２実施形態に係るカード貸出画面の例を示す図である。
【図１２】第２実施形態に係るＩＣカード貸出処理のフローチャートである。
【図１３】第２実施形態に係る受付システムでのカード照会処理のフローチャートである。
【図１４】第２実施形態に係るカード照会画面の例を示す図である。
【図１５】第２実施形態に係るカード識別情報管理システムでの返却処理のフローチャートである。
【図１６】第２実施形態に係るカード返却画面の例を示す図である。
【図１７】第２実施形態に係るＩＣカード返却処理のフローチャートである。
【図１８】第３実施形態に係るカード識別情報管理システムの全体構成を示す図である。
【図１９】第３実施形態に係るカード識別情報管理システムの機能構成を示す図である。
【図２０】第３実施形態に係る各システムに記憶されたデータベースの例を示す図である。
【図２１】第３実施形態に係るカード識別情報管理システムでの貸出処理のフローチャートである。
【図２２】第３実施形態に係るカード貸出照会画面の例を示す図である。
【図２３】第３実施形態に係るカード貸出画面の例を示す図である。
【図２４】第３実施形態に係るプリンタシステムでの照合処理のフローチャートである。
【図２５】第３実施形態に係るＩＣカード返却処理のフローチャートである。
【発明を実施するための形態】
【００１１】
以下、本発明を実施するための形態について、図を参照しながら説明する。なお、これは、あくまでも一例であって、本発明の技術的範囲はこれに限られるものではない。
【００１２】
（第１実施形態）
図１は、第１実施形態に係るカード識別情報管理システム１００の全体構成を示す図である。
カード識別情報管理システム１００は、受付システム１（受付装置）と、ゲートシステム４（第１装置）と、ＩＣカード７とを備える。
【００１３】
受付システム１は、受付サーバ２と、受付端末３とから構成されており、受付サーバ２と、受付端末３とは、通信可能に接続されている。
受付サーバ２は、例えば、データセンタ等の施設に設けられる。受付サーバ２は、受付端末３によって入力されたデータを記憶する。また、受付サーバ２は、ゲートシステム４との間で通信を行うためのインタフェースを備える。
受付端末３は、例えば、企業のビルの入口付近に設けられ、受付のオペレータが操作するための端末である。受付端末３は、図では１台のみ示しているが、複数台を有してもよい。
【００１４】
受付端末３は、リーダライタ３ａと、入力装置３ｂと、ディスプレイ３ｃとを備える。
リーダライタ３ａは、ＩＣカード７と非接触で通信を行い、ＩＣカード７に記憶されたデータを読み取ったり、ＩＣカード７に対してデータを出力することでＩＣカード７に書き込みをしたりする装置である。
入力装置３ｂは、受付のオペレータが操作する操作部であり、例えば、キーボードやマウス等により構成される。
ディスプレイ３ｃは、表示装置であり、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成される。
【００１５】
ゲートシステム４は、ゲート管理サーバ５と、ゲート６とから構成されており、ゲート管理サーバ５と、ゲート６とは、通信可能に接続されている。
ゲート管理サーバ５は、例えば、データセンタ等に設けられる。ゲート管理サーバ５は、ゲート６に対してゲート６を開閉させるためのデータを記憶する。また、ゲート管理サーバ５は、受付システム１との間で通信を行うためのインタフェースを備える。そして、ゲート管理サーバ５は、受付システム１から受信したデータを記憶する。受付システム１がゲートシステム４に対してデータを送信した場合に、ゲート管理サーバ５は、このカード識別情報管理システム１００の仕様によって、即時に、又は定期的にデータを受け付けて、所定の時間間隔（例えば、１０分間隔）で受付システム１から受け付けたデータを更新する。
【００１６】
ゲート６は、例えば、受付端末３が設置された近傍に設けられて、企業のビルの入館をそのゲート６を開閉することで制限するための装置である。ゲート６は、誰でも移動可能なセキュリティが設定されていないエリアと、特定の人の移動を許可するようにセキュリティが設定されているセキュリティエリアＳａとの間を仕切るように設置されたゲートである。そして、ゲート６は、ＩＣカード７を携行した利用者ＰがセキュリティエリアＳａに入る際に通過するゲートである。ゲート６は、図では１つのみを記載しているが、各セキュリティのレベルに応じて複数台を配置してもよい。ゲート６は、リーダ６ａを備える。
リーダ６ａは、ＩＣカード７に記憶されているデータを読み取る装置である。
【００１７】
ＩＣカード７は、利用者ＰがセキュリティエリアＳａに入る場合に、ゲート６を通過する際に用いる。ＩＣカード７は、券面にそのＩＣカード７のカードＩＤ（ＩＤｅｎｔｉｆｉｅｒ）（カード識別情報）が印字されており、利用者Ｐや、受付のオペレータは、ＩＣカード７の券面を見ることでカードＩＤを判別できる。
【００１８】
受付システム１の受付サーバ２と、ゲートシステム４のゲート管理サーバ５とは、通信ネットワークＮを介して通信可能に接続されている。
通信ネットワークＮは、例えば、受付サーバ２とゲート管理サーバ５とを直接つなぐ専用回線であってもよいし、インターネット回線であってもよい。通信ネットワークＮは、その一部が無線通信をするものであってもよい。
【００１９】
次に、利用者ＰによるセキュリティエリアＳａの入室の流れについて説明する。
セキュリティエリアＳａに入室したい利用者Ｐは、まず、受付端末３が設けられた受付に行き、貸出処理がされたＩＣカード７を受領する（＃１）。
その後、利用者Ｐは、受領したＩＣカード７を携行し、ゲート６に向かう（＃２）。そして、利用者Ｐは、ＩＣカード７をゲート６のリーダ６ａにかざす（タッチする）（＃３）ことで、ＩＣカード７は、ゲート６との間で通信を行う。ゲート６は、ゲート管理サーバ５に対して当該ＩＣカード７が、このゲート６を開けてよいものであるか否かを照会する。そして、ゲート管理サーバ５がこのゲート６の開放を許可した場合に、ゲート６が開放され、利用者Ｐは、ゲート６を通過する（＃４）。ゲート６は、利用者Ｐがゲート６を通過したことで、そのゲート６を閉じる。
【００２０】
次に、カード識別情報管理システム１００の機能構成について説明する。図２は、第１実施形態に係るカード識別情報管理システム１００の機能構成を示す図である。図３は、第１実施形態に係る受付システム１に記憶されたデータベースの例を示す図である。図４は、第１実施形態に係るゲートシステム４に記憶されたデータベースの例を示す図である。
【００２１】
受付システム１は、制御部１０と、記憶部２０と、リーダライタ部（Ｒ／Ｗ部）３０と、インタフェース部（Ｉ／Ｆ部）３２とを備える。
制御部１０は、受付システム１の全体を制御する中央処理装置（ＣＰＵ）である。制御部１０は、記憶部２０に記憶されているオペレーティングシステム（ＯＳ）や、各種のアプリケーションプログラムを適宜読み出して実行することにより、上述したハードウェアと協働し、本発明に係る各種機能を実現している。
【００２２】
制御部１０は、カード処理部１１（第１カード処理部）と、送信部１２とを備える。
カード処理部１１は、Ｒ／Ｗ部３０を制御してＩＣカード７に対してデータの読み取りや書き込みを行う制御部である。
送信部１２は、各種の処理後に作成した更新データを、Ｉ／Ｆ部３２を介してゲートシステム４に対して送信するための制御部である。
記憶部２０は、制御部１０を実行するために必要なプログラム、データ等を記憶するためのハードディスク、半導体メモリ素子等の記憶領域である。
記憶部２０は、マスタデータベース（ＤＢ）２２と、利用ＤＢ２４とを備える。
マスタＤＢ２２は、ＩＣカード７を発行した際の初期状態のデータを記憶するデータベースである。
利用ＤＢ２４は、利用中のＩＣカード７の状態を記憶するデータベースである。
【００２３】
図３（ａ）に示すように、マスタＤＢ２２は、カードＩＤをキー情報として、権限と、有効期限との各データを記憶する。マスタＤＢ２２は、このカード識別情報管理システム１００を運用するにあたって、事前準備としてＩＣカード７を発行する際に作成する。
図３（ｂ）に示すように、利用ＤＢ２４は、カードＩＤをキー情報として、権限と、有効期限との他に、ステータスを記憶する。利用ＤＢ２４は、カード識別情報管理システム１００を運用するにあたって、マスタＤＢ２２に基づいて予め作成されて記憶されている。
マスタＤＢ２２及び利用ＤＢ２４が有するカードＩＤは、そのＩＣカード７を一意に特定するコードである。カードＩＤは、ＩＣカード７の発行時に付与されて、ＩＣカード７のカードＩＤ領域８２に記憶され、ＩＣカード７の券面に印字されている。
【００２４】
マスタＤＢ２２及び利用ＤＢ２４が有する権限は、そのカードＩＤでゲート６の通過が可能なセキュリティのランクである。ここで、ゲート６は、複数存在する。そして、ゲート６は、セキュリティの高いエリアに通じるものであるほど、セキュリティランクが高く設定されている。この例では、権限は、例えば、数字等で表され、権限が「１」の場合には、例えば、受付端末３が設置された近傍のゲート６のみの通過を許容し、権限が「１＋２」の場合には、上述のゲート６と、その後のセキュリティのレベルの高いゲート６との通過を許容する、といった具合に、ゲート６の通過を制御するものである。
マスタＤＢ２２及び利用ＤＢ２４が有する有効期限は、そのカードＩＤでゲート６の通過が行える期限である。この例では、有効期限は、マスタＤＢ２２において有効日数を記憶している。また、有効期限は、利用ＤＢ２４において「使用中」のステータスのものは日時を記憶している。
権限や有効期限の保有方法は、上述に記載したものはあくまで一例であって、これらに限定されない。
利用ＤＢ２４が有するステータスは、現在のＩＣカード７の貸出状況を含む利用状況を示す。例えば、ステータスは、「使用中」や「一時停止」等がある。
【００２５】
図２に戻り、Ｒ／Ｗ部３０は、リーダライタ３ａ（図１参照）であり、ＩＣカード７との間のインタフェースである。
Ｉ／Ｆ部３２は、ゲートシステム４との間のインタフェースである。
【００２６】
ゲートシステム４は、制御部４０と、記憶部５０と、リーダ部６０と、Ｉ／Ｆ部６２とを備える。
制御部４０は、ゲートシステム４の全体を制御するＣＰＵである。制御部４０は、記憶部５０に記憶されているＯＳや、各種のアプリケーションプログラムを適宜読み出して実行することにより、上述したハードウェアと協働し、本発明に係る各種機能を実現している。
制御部４０は、照合部４１と、動作許可部４２と、更新部４３とを備える。
【００２７】
照合部４１は、読み取ったＩＣカード７のカードＩＤが、ゲート６の開放を許可するものであるか否かを、記憶部５０の照合ＤＢ５２及びゲートＤＢ５４を参照して照合する制御部である。
動作許可部４２は、照合部４１によって許可するものであると判断された場合に、ゲート６を開放させる制御部である。
更新部４３は、受付システム１から受信した更新データに基づいて、記憶部５０の照合ＤＢ５２を更新する制御部である。
【００２８】
記憶部５０は、制御部４０を実行するために必要なプログラム、データ等を記憶するためのハードディスク、半導体メモリ素子等の記憶領域である。
記憶部５０は、照合ＤＢ５２と、ゲートＤＢ５４とを備える。
図４（ａ）に示すように、照合ＤＢ５２は、カードＩＤと、権限との各項目を有する。照合ＤＢ５２は、受付システム１の記憶部２０に記憶されている利用ＤＢ２４から抽出された更新データを受信して格納することで、カードＩＤと、権限との各項目の内容は、利用ＤＢ２４と同じである。
図４（ｂ）に示すように、ゲートＤＢ５４は、ゲートＮｏと、権限との各項目を有する。ゲートＮｏは、ゲート６を一意に特定するコードである。権限は、照合ＤＢ５２と同様のものであり、ゲート６の通過を許容するセキュリティのランクである。
図２に戻り、リーダ部６０は、リーダ６ａ（図１参照）であり、ＩＣカード７との間のインタフェースである。リーダ部６０は、ＩＣカード７の記憶部８０のうち、予め定められたゲート読取領域８１を読み取る。
Ｉ／Ｆ部６２は、受付システム１との間のインタフェースである。
【００２９】
ＩＣカード７は、ＣＰＵ７０と、記憶部８０と、Ｉ／Ｆ部８５とを備える。
ＣＰＵ７０は、ＩＣカード７の全体を制御する中央処理装置である。ＣＰＵ７０は、四則演算や論理演算等の算術的な処理を行う演算装置を備え、Ｉ／Ｆ部８５を介して受信するデータに応じて、記憶部８０に記憶されているプログラムを実行することにより、上述したハードウェアと協働し、本発明に係る各種機能を実現している。
記憶部８０は、ＣＰＵ７０を実行するために必要なプログラム、データ等を記憶するためのハードディスク、半導体メモリ素子等の記憶領域である。記憶部８０は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）等の各記憶媒体を含む。
【００３０】
記憶部８０は、ゲート読取領域８１（第１記憶領域）と、カードＩＤ領域８２（カード識別情報領域）とを備える。
ゲート読取領域８１は、ゲートシステム４のリーダ部６０によって読み取りが可能な位置に配置された記憶領域である。ゲート読取領域８１は、例えば、ＥＰＲＯＭにより構成してよい。ゲート読取領域８１は、書き込みや消去が可能な記憶領域である。
カードＩＤ領域８２は、ゲートシステム４のリーダ部６０によって読み取りが不可能な位置に配置された記憶領域である。カードＩＤ領域８２は、例えば、ＲＯＭにより構成してよく、ＩＣカード７の発行時に書き込まれたカードＩＤが記憶されている。また、カードＩＤ領域８２は、読み取り専用であり、その後の書き込みや消去が禁止された記憶領域である。
Ｉ／Ｆ部８５は、受付システム１のＲ／Ｗ部３０や、ゲートシステム４のリーダ部６０との間のインタフェースである。
【００３１】
次に、このカード識別情報管理システム１００を導入する際の事前準備処理について説明する。ここでは、予め設置されたゲートシステム４に、新たに受付システム１を導入する場合を説明する。
まず、管理者は、ゲートシステム４で用いるためのＩＣカード７を複数枚発行する。発行するＩＣカード７は、ゲートシステム４のセキュリティのレベルにあわせて複数のセキュリティのレベルのものを発行処理する。発行処理がされたＩＣカード７は、利用開始受付前の状態であり、カードＩＤ領域８２にカードＩＤが記憶され、ＩＣカード７の券面にカードＩＤが印字されているが、ゲート読取領域８１は空の状態である。これらの発行処理済のＩＣカード７は、受付にストックしておく。万が一、ストックされたＩＣカード７が盗難にあっても、そのＩＣカード７のゲート読取領域８１は空の状態であるので、悪用しようとしてもゲート６が開放されることがない。よって、ＩＣカード７をものとして管理する際にも、ＩＣカード７を格納する場所に施錠等をして厳密に管理する必要がなく、ものとしての管理がしやすい。
【００３２】
また、管理者は、発行時のＩＣカード７の状態を、例えば、受付システム１のＲ／Ｗ部３０を用いてマスタＤＢ２２に記憶する。そして、マスタＤＢ２２から利用ＤＢ２４を作成する。また、作成された利用ＤＢ２４のデータは、所定のタイミングで更新データとしてゲートシステム４に対して送信することで、ゲートシステム４において、照合ＤＢ５２に記憶される。ゲートシステム４の照合ＤＢ５２は、使用可能なカードＩＤとその権限とのデータを記憶している状態になっている。後述するように、照合ＤＢ５２に記憶されたカードＩＤをゲート読取領域８１に有するＩＣカード７を使用した利用者Ｐは、ゲート６を通過できる。
【００３３】
次に、利用者Ｐが受付に訪れた際に、利用開始受付時の処理として受付のオペレータがＩＣカード７を利用者Ｐに貸し出す際の処理について説明する。図５は、第１実施形態に係るカード識別情報管理システム１００での貸出処理のフローチャートである。
ステップＳ１０において、受付のオペレータの操作により、受付システム１の制御部１０は、カード貸出画面を受付端末３のディスプレイ３ｃ（図１）に表示する。
ステップＳ１１において、受付システム１の制御部１０は、受付のオペレータの操作による、利用者Ｐの情報や、個別の変更情報等の各種情報の入力を受け付ける。利用者Ｐの情報とは、例えば、利用者Ｐの氏名や所属等の個人情報をいう。個別の変更情報とは、例えば、権限や有効期限に関する情報をいう。ステップＳ１１におけるこれらの入力は、必須なものではない。また、ステップＳ１１の入力は、予めそれらの情報を登録しておいてもよい。
また、受付システム１の制御部１０は、ＩＣカード７のカードＩＤ領域８２の読取が可能な状態にリーダライタ３ａを制御し、カードＩＤを要求する。
【００３４】
ステップＳ２０において、受付のオペレータが、利用者Ｐのセキュリティのランクに合うＩＣカード７を用意して、そのＩＣカード７をリーダライタ３ａにかざすことで、ＩＣカード７のＣＰＵ７０は、カードＩＤ領域８２からカードＩＤを送出し、ステップＳ１２において、受付システム１の制御部１０（カード処理部１１）は、リーダライタ３ａを制御して、ＩＣカード７のカードＩＤ領域８２に記憶されたカードＩＤを読み取る。
ステップＳ１３において、受付システム１の制御部１０（カード処理部１１）は、読み取ったカードＩＤ領域８２のカードＩＤを、ＩＣカード７に対して書き込む。
【００３５】
ステップＳ２１において、ＩＣカード７のＣＰＵ７０は、受付システム１からカードＩＤを受信し、ステップＳ２２において、ＩＣカード７のＣＰＵ７０は、受信したカードＩＤをゲート読取領域８１に書き込む。これによって、ＩＣカード７は、カードＩＤ領域８２と同じカードＩＤがゲート読取領域８１に書き込まれたものになる。なお、受付システム１の制御部１０は、所定時間を経過後に、リーダライタ３ａを制御して、ＩＣカード７のゲート読取領域８１を読み取り、ステップＳ２２での書き込みが正常に行われたかを確認する。その後、ＩＣカード７のＣＰＵ７０は、本処理を終了する。
このようにして、カードＩＤがゲート読取領域８１に書き込まれたＩＣカード７は、受付のオペレータによって利用者Ｐに渡される。そして、利用者Ｐは、渡されたＩＣカード７をゲートシステム４に用いることで、セキュリティエリアＳａに入室できる。
【００３６】
上述の処理により、ＩＣカード７のゲート読取領域８１への書き込みが正常に行われたことが確認されたので、ステップＳ１４において、受付システム１の制御部１０は、記憶部２０の利用ＤＢ２４を更新する。具体的には、受付システム１の制御部１０は、利用ＤＢ２４に記憶されている貸出処理をしたＩＣカード７のカードＩＤに対応するステータスを更新する。例えば、そのカードＩＤのステータスを、「一時停止」から「使用中」に変更する。また、受付システム１の制御部１０は、利用ＤＢ２４のカードＩＤに対応する有効期限を、日時に更新する。例えば、「１日」となっていた有効期限を、本日日付に変更する。さらに、ステップＳ１１で個別の変更情報の入力があった場合には、受付システム１の制御部１０は、利用ＤＢ２４に記憶されている貸出処理をしたＩＣカード７のカードＩＤに対応する権限や有効期限を更新する。なお、ステップＳ１１で利用者Ｐの情報の入力があった場合には、カードＩＤに対応付けて記憶部２０にそれらの情報を記憶する。
【００３７】
ステップＳ１５において、受付システム１の制御部１０（送信部１２）は、利用ＤＢ２４に記憶されているデータのうち、更新のあったカードＩＤと、カードＩＤに対応する権限とからなる更新データを、ゲートシステム４に対して送信する。その後、受付システム１の制御部１０は、本処理を終了する。
【００３８】
ステップＳ１６において、ゲートシステム４の制御部４０は、更新データを受信する。
ステップＳ１７において、ゲートシステム４の制御部４０は、所定の更新時間であるか否かを判断する。所定の更新時間とは、例えば、１０分間隔で更新を反映する場合に、その時間をいう。所定の更新時間ではない場合（ステップＳ１７：ＮＯ）には、ゲートシステム４の制御部４０は、ステップＳ１７にとどまる。他方、所定の更新時間である場合（ステップＳ１７：ＹＥＳ）には、ゲートシステム４の制御部４０は、処理をステップＳ１８に移す。
ステップＳ１８において、ゲートシステム４の制御部４０（更新部４３）は、受信した更新データを照合ＤＢ５２に反映させることで、照合ＤＢ５２を更新する。その後、ゲートシステム４の制御部４０は、本処理を終了する。
【００３９】
次に、利用者Ｐが、貸出処理がされたＩＣカード７を用いてゲートシステム４を通過する際の処理について説明する。図６は、第１実施形態に係るゲートシステム４での照合処理のフローチャートである。
ステップＳ３０において、ゲートシステム４の制御部４０は、ＩＣカード７のゲート読取領域８１の読取が可能な状態にリーダ６ａを制御し、カードＩＤを要求している。
ステップＳ３０ａにおいて、利用者Ｐが、携行するＩＣカード７をゲートシステム４のリーダ６ａにかざすことで、ＩＣカード７のＣＰＵ７０は、ゲート読取領域８１に記憶されているカードＩＤを送出し、ステップＳ３１において、ゲートシステム４の制御部４０は、リーダ６ａを制御して、ＩＣカード７のゲート読取領域８１のカードＩＤを読み取る。
ステップＳ３２において、ゲートシステム４の制御部４０（照合部４１）は、リーダ６ａを介して読み取ったゲート読取領域８１に記憶されているカードＩＤと、照合ＤＢ５２とを照合する。具体的には、ゲート読取領域８１に記憶されているカードＩＤと同一のカードＩＤが照合ＤＢ５２に存在するか否かを照合する。
【００４０】
ステップＳ３３において、ステップＳ３２での照合の結果、ゲートシステム４が読み取ったカードＩＤと、同一のカードＩＤが照合ＤＢ５２に存在した場合（ステップＳ３３：ＹＥＳ）には、ゲートシステム４の制御部４０は、処理をステップＳ３４に移す。他方、ゲートシステム４が読み取ったカードＩＤと、同一のカードＩＤが照合ＤＢ５２に存在しない場合（ステップＳ３３：ＮＯ）には、ゲートシステム４の制御部４０は、ゲート６を開くことなく本処理を終了する。
ステップＳ３４において、ゲートシステム４の制御部４０（照合部４１）は、カードＩＤが一致する照合ＤＢ５２の権限と、ゲートＤＢ５４の該当のゲートＮｏの権限とを確認して、許可する条件を満たすか否かを判断する。許可する条件を満たす場合（ステップＳ３４：ＹＥＳ）には、ゲートシステム４の制御部４０は、処理をステップＳ３５に移す。他方、許可する条件を満たさない場合（ステップＳ３４：ＮＯ）には、ゲートシステム４の制御部４０は、ゲート６を開くことなく本処理を終了する。
【００４１】
ステップＳ３５において、ゲートシステム４の制御部４０（動作許可部４２）は、該当のゲート６を開放する。そのようにすることで、利用者Ｐは、ゲート６を通過できる。
ステップＳ３６において、ゲートシステム４の制御部４０は、通過を検出したか、又は所定時間が経過したか否かを判断する。なお、ゲートシステム４は、ゲート６に図示しない光学センサ等の検出部を有し、利用者Ｐが通過したか否かを検出することができる。通過を検出したか、又は所定の時間が経過した場合（ステップＳ３６：ＹＥＳ）には、ゲートシステム４の制御部４０は、処理をステップＳ３７に移す。他方、通過を検出しておらず、かつ、所定の時間が経過していない場合（ステップＳ３６：ＮＯ）には、ゲートシステム４の制御部４０は、ステップＳ３６にとどまる。
ステップＳ３７において、ゲートシステム４の制御部４０は、該当のゲート６を閉じる。その後、ゲートシステム４は、本処理を終了する。
【００４２】
このようにして、利用者Ｐは、貸出処理がされたＩＣカード７を携行して、各場所のゲート６に対してＩＣカード７をかざすことで、セキュリティのレベルを満たすゲート６を通過できる。また、ゲートシステム４の照合ＤＢ５２には、ゲート読取領域８１に書き込んだものと同じカードＩＤを予め有しているので、受付システム１からゲートシステム４に対して更新データが送信されていない場合や、更新されていても照合ＤＢ５２に反映されていない場合であっても、そのカードＩＤのセキュリティのレベルで許容するゲート６を開放できる。
【００４３】
次に、利用者Ｐが受付にＩＣカード７を返却することで行われる利用終了受付時の処理である返却処理について説明する。図７は、第１実施形態に係るカード識別情報管理システム１００での返却処理のフローチャートである。
ステップＳ４０において、受付のオペレータの操作により、受付システム１の制御部１０は、カード返却画面を受付端末３のディスプレイ３ｃに表示する。
また、受付システム１の制御部１０は、ＩＣカード７のカードＩＤ領域８２の読取が可能な状態にリーダライタ３ａを制御し、カードＩＤを要求する。
ステップＳ５０において、受付のオペレータが、返却されたＩＣカード７をリーダライタ３ａにかざすことで、ＩＣカード７のＣＰＵ７０は、カードＩＤ領域８２からカードＩＤを送出し、ステップＳ４１において、受付システム１の制御部１０（カード処理部１１）は、リーダライタ３ａを制御して、ＩＣカード７のカードＩＤ領域８２に記憶されたカードＩＤを読み取る。
ステップＳ４２において、受付システム１の制御部１０（カード処理部１１）は、リーダライタ３ａを制御して、ＩＣカード７のゲート読取領域８１のデータを消去するための消去命令を、ＩＣカード７に対して送信する。
【００４４】
ステップＳ５１において、ＩＣカード７のＣＰＵ７０は、受付システム１から消去命令を受信する。
ステップＳ５２において、ＩＣカード７のＣＰＵ７０は、ゲート読取領域８１に既に記憶していたカードＩＤを消去する。なお、受付システム１の制御部１０は、所定時間を経過後に、リーダライタ３ａを制御して、ＩＣカード７のゲート読取領域８１を読み取り、ステップＳ５２での書き込みが正常に行われたかを確認する。その後、ＩＣカード７のＣＰＵ７０は、本処理を終了する。
このようにして、ＩＣカード７は、ゲート読取領域８１にカードＩＤが記憶されたものから空の状態になる。よって、万が一このＩＣカード７が盗まれて不正に使用しようとしても、ゲート読取領域８１にカードＩＤを記憶していないので、ゲートシステム４では処理が行われないものにできるので、不正使用を抑制できる。
【００４５】
上述の処理によって、ＩＣカード７のゲート読取領域８１への書き込みが正常に行われたことが確認されたので、ステップＳ４３において、受付システム１の制御部１０は、記憶部２０の利用ＤＢ２４を初期化する。具体的には、受付システム１の制御部１０は、利用ＤＢ２４に記憶されている返却処理をしたＩＣカード７のカードＩＤに対応するステータスを更新する。例えば、そのカードＩＤのステータスを、「使用中」から「一時停止」に変更する。また、受付システム１の制御部１０は、マスタＤＢ２２を利用して、利用ＤＢ２４に記憶されている返却処理をしたＩＣカード７のカードＩＤに対応する権限や有効期限を、初期設定に戻す。
【００４６】
ステップＳ４４において、受付システム１の制御部１０（送信部１２）は、利用ＤＢ２４の記憶されているデータのうち、更新のあったカードＩＤと、カードＩＤに対応する権限とからなる更新データを、ゲートシステム４に対して送信する。その後、受付システム１の制御部１０は、本処理を終了する。
ステップＳ４５からステップＳ４７までは、貸出処理のフローチャートである図５のステップＳ１６からステップＳ１８までと同様である。その後、ゲートシステム４の制御部４０は、本処理を終了する。
【００４７】
次に、利用者Ｐが貸し出されたＩＣカード７を紛失したり、利用者Ｐが返却をすべきＩＣカード７の返却を行わなかったりした場合について説明する。
先に、ＩＣカード７の紛失について説明する。利用者Ｐがカード紛失を受付のオペレータに対して申告することで、オペレータは、受付端末３を操作して、カード紛失の設定をする。具体的には、オペレータによる受付端末３の操作により、受付システム１の制御部１０は、利用者Ｐに貸し出したＩＣカード７のカードＩＤに対応する利用ＤＢ２４のステータスを、「使用中」から「紛失」に変更する。そのようにすることで、受付システム１の制御部１０は、更新データを作成し、ゲートシステム４に送信するので、ゲートシステム４では、制御部４０が照合ＤＢ５２の該当するカードＩＤのレコードを削除する。なお、受付システム１で受け付けてから遅くとも約１０分後には、ゲートシステム４を反映するので、紛失したＩＣカード７が不正使用される可能性は低い。
このようにして、利用者ＰからＩＣカード７の紛失の申告が合った場合には、ゲートシステム４にその紛失に関するデータが反映されるので、照合ＤＢ５２が更新された後には、不正にＩＣカード７が使用しようとしてもゲート６を開放することがなく、セキュリティを保つことができる。
【００４８】
次に、ＩＣカード７の返却忘れについて説明する。受付システム１の制御部１０は、バッチ処理にて有効期限切れのカードＩＤを利用ＤＢ２４から抽出する。そして、受付システム１の制御部１０は、抽出されたカードＩＤに対応する利用ＤＢ２４のステータスを、「使用中」から「未返却」に変更する。そのようにすることで、受付システム１の制御部１０は、更新データを作成し、ゲートシステム４に送信するので、ゲートシステム４では、制御部４０が照合ＤＢ５２の該当するカードＩＤのレコードを削除する。
このようにして、利用者ＰからＩＣカード７が返却されなかった場合にも、紛失の場合と同様にゲートシステム４に返却忘れに関するデータが反映されるので、照合ＤＢ５２が更新された後には、再度利用者Ｐ等が不正にＩＣカード７を使用しようとしても、ゲート６を開放することがなく、セキュリティを保つことができる。
【００４９】
この返却忘れに関する処理を行った後に、さらに未返却のＩＣカード７が返却された場合について説明する。オペレータは、返却されたＩＣカード７をもとに受付端末３を操作して、未返却カードの返却の設定をする。具体的には、オペレータによる受付端末３の操作により、受付システム１の制御部１０は、返却されたＩＣカード７のカードＩＤに対応する利用ＤＢ２４のステータスを、「未返却」から「一時停止」に変更する。そのようにすることで、受付システム１の制御部１０は、マスタＤＢ２２を使用して、利用ＤＢ２４に記憶されている返却されたＩＣカード７のカードＩＤに対応する権限や有効期限を、初期設定に戻す。そして、受付システム１の制御部１０は、利用ＤＢ２４からそのカードＩＤに対応する更新データを作成し、ゲートシステム４に送信する。ゲートシステム４では、貸出処理のフローチャートである図５のステップＳ１６からステップＳ１８までと同様の処理を行う。つまり、ゲートシステム４の制御部４０は、所定のタイミングで受信した更新データを照合ＤＢ５２に反映させる。具体的には、ゲートシステム４の制御部４０は、更新データによってそのカードＩＤのレコードを追加する。
このようにして、未返却になっていたＩＣカード７が返却された場合に、利用ＤＢ２４を更新することでゲートシステム４に更新データが反映されるので、照合ＤＢ５２の該当のカードＩＤを初期状態に戻すことができる。よって、返却されたＩＣカード７を再度利用できる。
【００５０】
このように、第１実施形態によれば、以下のような効果がある。
（１）受付システム１によって、ＩＣカード７の利用開始受付時に、ＩＣカード７のカードＩＤ領域８２に記憶されたカードＩＤをゲート読取領域８１に書き込むことで、ゲートシステム４においてＩＣカード７のゲート読取領域８１を読み取ってゲート６を開放する等の所定の動作をさせるか否かを判断することができる。
また、ＩＣカード７は、券面に表示されたカードＩＤと、カードＩＤ領域８２に記憶されたカードＩＤとが同一であるので、ＩＣカード７の管理が容易である。
ゲート読取領域８１には、券面に表示されたカードＩＤを書き込むので、受付のオペレータに、券面に表示されたカードＩＤを使用することを示すことができる。
【００５１】
（２）ゲートシステム４は、予め使用可能なカードＩＤの情報を有し、受付システム１では、Ｒ／Ｗ部３０が読み取ったことでそのカードＩＤを使用できるようにＩＣカード７に書き込むだけであるので、受付端末３でのオペレータによるＩＣカード７に書き込むための、例えば、文字の入力操作を行う必要がなく、オペレーションミスを削減できる。しかも、カードＩＤを入力しないため、別のカードＩＤを書き込むこともないので、セキュリティも維持される。そして、カードＩＤを読み取ったことを契機として即座に書き込む処理をするので、セキュリティの確保が必要なセキュリティエリアＳａへの入室に必要なＩＣカード７の貸出作業がより容易に行える。
（３）ゲートシステム４と受付システム１との間の通信にタイムラグがあるような環境であっても、予めゲートシステム４に使用可能なカードＩＤの情報を有しているので、ＩＣカード７をゲートシステム４に使用できる。
【００５２】
（４）利用開始受付前において、ＩＣカード７のゲート読取領域８１を、カードＩＤを記憶していない状態にすることで、そのＩＣカード７を使用した場合に、ゲートシステム４において所定の動作をさせないようにできる。よって、万が一、ＩＣカード７が盗難にあったりして、不正に使用されることがあっても、ゲートシステム４において所定の動作が行われないようにできるので、ゲートシステム４のセキュリティが保たれる。
（５）受付システム１によって、利用終了受付時において、ＩＣカード７のゲート読取領域８１に記憶されているカードＩＤを消去することで、利用終了後には、そのＩＣカード７を使用してもゲートシステム４において所定の動作をさせないようにできる。
【００５３】
（６）ゲートシステム４には、カードＩＤと権限等の付随情報とを関連付けて記憶しており、受付システム１から所定の時間間隔で受信した更新データによりゲートシステム４を更新できる。よって、例えば、ＩＣカード７が返却されなかった場合や、ＩＣカード７を紛失した場合等のときには、受付システム１から更新データを送信することで、ゲートシステム４を所定の動作をさせないようにできる。よって、受付システム１とゲートシステム４との間の通信によってリアルタイムに更新できない環境においても、タイムラグがあるものの、セキュリティが維持できる。
【００５４】
（第２実施形態）
第２実施形態では、利用開始受付時において複数人が来訪した場合に、１つのグループとして受付し、複数枚のカードを１つのグループとして、まとめて処理をするものについて説明する。なお、以降の説明において、上述した第１実施形態と同様の機能を果たす部分には、同一の符号又は末尾に同一の符号を付して、重複する説明を適宜省略する。
【００５５】
図８は、第２実施形態に係るカード識別情報管理システム２００の機能構成を示す図である。図９は、第２実施形態に係る受付システム２０１に記憶されたグループＤＢ２２６の例を示す図である。
【００５６】
カード識別情報管理システム２００は、受付システム２０１と、ゲートシステム４と、ＩＣカード７とを備える。
受付システム２０１は、制御部２１０と、記憶部２２０と、Ｒ／Ｗ部３０と、Ｉ／Ｆ部３２と、操作部２３４と、表示部２３６とを備える。
制御部２１０は、送信部１２の他に、カード処理部２１１と、情報受付部２１３（付加情報受付部、枚数受付部）と、指示受付部２１４（開始受付部、終了受付部）とを備える。
カード処理部２１１は、Ｒ／Ｗ部３０を制御してＩＣカード７に対してデータの読み取りや書き込みを行う制御部である。また、カード処理部２１１は、Ｒ／Ｗ３０を読取可能な状態や、読取不可の状態に制御する。
情報受付部２１３は、グループ単位でＩＣカード７を貸出す際の団体名等の情報や、貸出枚数等の情報を受け付ける制御部である。
指示受付部２１４は、ＩＣカード７の読取開始の指示及び読取終了の指示を受け付ける制御部である。
【００５７】
記憶部２２０は、マスタＤＢ２２と、利用ＤＢ２４との他に、グループＤＢ２２６（グループ記憶部）を備える。
グループＤＢ２２６は、複数枚のＩＣカード７をまとめてグループとしてデータを記憶するデータベースである。
図９に示すように、グループＤＢ２２６は、グループＩＤをキー情報として、貸出日と、有効期限と、カードＩＤと、グループ付加情報（付加情報）と、グループステータスとの各データを記憶する。グループＤＢ２２６には、複数枚のＩＣカード７の貸出を行うごとに１つのレコードが作成される。
グループＩＤは、例えば、受付システム２０１が順次割り当てるランダムな記号である。グループＩＤは、受付番号としても使用する。グループＩＤは、重複しなければどのような記号であってもよい。貸出日、有効期限、カードＩＤ及びグループステータスは、後述するカード貸出画面から入力された情報を記憶する。なお、グループステータスは、複数枚のＩＣカード７のうち、１枚でも貸出中のものがあれば、「使用中」になる。グループ付加情報は、グループに関する情報として、例えば、団体名や、代表者名、連絡先等を記憶する。グループ付加情報は、後述するカード照会画面から入力された情報を記憶する。
図８に戻り、操作部２３４は、入力装置３ｂ（図１参照）である。
表示部２３６は、ディスプレイ３ｃ（図１参照）である。
【００５８】
次に、複数の利用者Ｐの代表者が受付に訪れた際に、利用開始受付時の処理として、受付のオペレータが複数の利用者Ｐにあわせて複数枚のＩＣカード７を複数の利用者Ｐに貸し出す際の処理について説明する。複数の利用者Ｐの代表者がＩＣカード７を借りるために受付を訪れる際に、代表者は、ＩＣカード７の貸出申込書であるカード貸出受付票に団体名や代表者名、連絡先等を記入した上で、カード貸出受付票を受付のオペレータに渡す。そして、オペレータは、カード貸出受付票からセキュリティランクに合うＩＣカード７を貸出枚数分用意する。そして、オペレータは、ＩＣカード７の貸出枚数や、カード有効期限、権限等のＩＣカード７を貸出すのに最低限必要な情報を受付端末３にて設定の上、カード貸出作業に専念する。カード貸出受付票に記入されている団体名等の情報は、カード貸出業務を終えた後等の時間のある時に、オペレータが登録する。
図１０は、第２実施形態に係るカード識別情報管理システム２００での貸出処理のフローチャートである。図１１は、第２実施形態に係るカード貸出画面２７１の例を示す図である。図１２は、第２実施形態に係るＩＣカード貸出処理のフローチャートである。
【００５９】
図１０のステップＳ（以下、Ｓという。）２１０において、受付システム２０１の制御部２１０は、カード貸出画面２７１を表示する。
図１１（１）は、表示部２３６に表示したカード貸出画面２７１である。カード貸出画面２７１は、例えば、図示しないカード貸出・返却のメニューからカード貸出を選択することで、表示部２３６に表示される。
受付番号は、制御部２１０が重複しない任意の記号を割り当てたものである。貸出日及び有効期限は、本日日付を表示する。なお、有効期限は、本日日付より後の日付に変更可能である。貸出枚数は、ＩＣカード７の貸出枚数を設定する。権限は、例えば、受付のすぐ近傍のゲート６のみを通過できるような低い権限が予め設定されている。オペレータが「変更」ボタンを選択することで、複数の利用者Ｐの行き先等に応じて任意の権限に変更可能である。なお、複数の利用者Ｐに貸出すＩＣカード７の権限は、同じものになる。ボタン２７１ｂは、オペレータがクリックして選択することで、Ｒ／Ｗ部３０を読取可能にするボタンである。
【００６０】
図１０に戻り、Ｓ２１１において、情報受付部２１３は、オペレータが入力したＩＣカード７の貸出枚数を受け付ける。
Ｓ２１２において、オペレータがボタン２７１ｂをクリックすることで、指示受付部２１４は、読取開始の指示を受け付ける。
Ｓ２１３において、カード処理部２１１は、Ｒ／Ｗ部３０を読取可能な状態に制御する。また、制御部２１０は、図１１（２）に示すように、カード貸出画面２７１のボタン２７１ｂのプロパティを読取開始から読取終了に変更する。
Ｓ２１４において、制御部２１０は、図１２に示すＩＣカード貸出処理を行う。
【００６１】
ここで、ＩＣカード貸出処理について説明する。
図１２のＳ２２０からＳ２２２まで、Ｓ２３０からＳ２３３まで、及びＳ２４０からＳ２４２までの処理は、第１実施形態の図５のＳ２０からＳ２２まで、Ｓ１２からＳ１５まで、及びＳ１６からＳ１８までの処理と同じである。なお、Ｓ２１０で表示したカード貸出画面２７１にて権限や有効期限の変更をした場合には、Ｓ２３３において、受付システム２０１の制御部２１０は、利用ＤＢ２４に記憶されている貸出処理をしたＩＣカード７のカードＩＤに対応する権限や有効期限を更新する。
Ｓ２３４において、制御部２１０は、カード貸出画面２７１の更新処理を行う。具体的には、図１１（２）に示すように、制御部２１０は、カードＩＤ領域８２を読み取りＩＣカード７のゲート読取領域８１に書き込んだカードＩＤを表示し、読込枚数をカウントアップする。
【００６２】
図１２に戻り、Ｓ２３５において、制御部２１０は、グループＤＢ２２６に当該グループＩＤのレコードがあるか否かを判断する。上述したように、グループＩＤは、受付番号である。グループＤＢ２２６に当該グループＩＤのレコードがある場合（Ｓ２３５：ＹＥＳ）には、制御部２１０は、処理をＳ２３７に移す。グループＤＢ２２６に当該グループＩＤのレコードがある場合とは、読み込んだＩＣカード７の枚数が２枚以降の場合になる。他方、グループＤＢ２２６に当該グループＩＤのレコードがない場合（Ｓ２３５：ＮＯ）には、制御部２１０は、処理をＳ２３６に移す。
Ｓ２３６において、制御部２１０は、グループＤＢ２２６に当該グループＩＤのレコードを作成する。そして、制御部２１０は、グループＤＢ２２６の貸出日と、有効期限とに、カード貸出画面２７１に表示されている日付を記憶する。
Ｓ２３７において、制御部２１０は、グループＤＢ２２６の当該グループＩＤのレコードを更新し、カードＩＤに、読み取ったカードＩＤを追加する。また、制御部２１０は、グループステータスを「使用中」にする。その後、制御部２１０は、処理を図１０のＳ２１５に戻す。
なお、Ｓ２３５からＳ２３７までの処理は、Ｓ２３１の後に行ってもよいし、Ｓ２３２の処理と同時に行ってもよい。
【００６３】
図１０に戻り、Ｓ２１５において、指示受付部２１４は、読取終了の指示を受け付けたか否かを判断する。読取終了の指示を受け付けた場合（Ｓ２１５：ＹＥＳ）には、指示受付部２１４は、処理をＳ２１７に移す。他方、読取終了の指示を受け付けていない場合（Ｓ２１５：ＮＯ）には、制御部２１０は、処理をＳ２１６に移す。
Ｓ２１６において、制御部２１０は、カード貸出画面２７１において入力された貸出枚数分のＩＣカード７について処理を行ったか否かを判断する。貸出枚数分のＩＣカード７について処理を行った場合（Ｓ２１６：ＹＥＳ）には、制御部２１０は、処理をＳ２１７に移す。これにより、制御部２１０は、予め受け付けた貸出枚数を超えてＩＣカード７の処理を行わないようにできる。他方、貸出枚数分のＩＣカード７について処理を行っていない場合（Ｓ２１６：ＮＯ）には、制御部２１０は、処理をＳ２１４に移し、ＩＣカード貸出処理を行う。
Ｓ２１７において、カード処理部２１１は、Ｒ／Ｗ部３０を読取不可な状態に制御する。その後、制御部２１０は、本処理を終了する。
代表者は、受付のオペレータから複数枚のＩＣカード７を受け取り、利用者Ｐそれぞれに渡す。
このような処理により、複数枚のＩＣカード７を一連の処理として、ＩＣカード７の貸出を行うことができる。また、貸出処理を行った複数枚のＩＣカード７を１つのグループとして管理できる。
【００６４】
次に、ＩＣカード７の照会処理について説明する。このＩＣカード７の照会処理は、例えば、ＩＣカード７の貸出後にオペレータが団体名等のグループに関する情報を登録するために利用する。図１３は、第２実施形態に係る受付システム２０１でのカード照会処理のフローチャートである。図１４は、第２実施形態に係るカード照会画面２７２の例を示す図である。
Ｓ２５０において、例えば、図示しない照会検索画面からオペレータがグループＩＤを入力することで、制御部２１０は、グループＩＤを取得する。
Ｓ２５１において、制御部２１０は、グループＤＢ２２６から該当のグループＩＤのレコードを抽出する。
Ｓ２５２において、制御部２１０は、グループＩＤに関連付けられた各々のカードＩＤのステータスを、利用ＤＢ２４から取得する。
Ｓ２５３において、制御部２１０は、カード照会画面２７２の各項目にデータを編集する画面編集処理を行う。
Ｓ２５４において、制御部２１０は、カード照会画面２７２を表示部に表示する。
【００６５】
図１４は、カード照会画面２７２を示す。受付番号、貸出日、有効期限、カードＩＤは、グループＤＢ２２６から取得したデータを表示する。カードＩＤに対応した使用状況は、利用ＤＢ２４から取得したデータである。貸出情報には、代表者名、会社名等の団体名、連絡先等のグループ付加情報を入力可能になっている。オペレータがボタン２７２ｂをクリックすることで、入力された貸出情報がグループＤＢ２２６に登録される。
図１３に戻り、Ｓ２５５において、制御部２１０は、更新を受け付けたか否かを判断する。更新を受け付けるとは、図１４に示すカード照会画面２７２において、ボタン２７２ｂが選択されたことをいう。更新を受け付けた場合（Ｓ２５５：ＹＥＳ）には、制御部２１０は、処理をＳ２５６に移す。他方、更新を受け付けていない場合（Ｓ２５５：ＮＯ）には、制御部２１０は、本処理を終了する。なお、更新を受け付けていない場合とは、グループ単位でのＩＣカード７の照会のみをした場合である。
Ｓ２５６において、制御部２１０は、入力された内容に基づいてグループＤＢ２２６を更新する。具体的には、制御部２１０は、グループＤＢ２２６のグループ付加情報に、カード照会画面２７２にて入力された内容を登録する。その後、制御部２１０は、本処理を終了する。
このように、オペレータは、グループ付加情報をＩＣカード７の貸出時ではなく、貸出後に登録することができるので、ＩＣカード７の貸出時の作業を簡単かつ迅速に行うことができ、利用者Ｐを待たせる時間を短縮できる。また、受付のオペレータは、ＩＣカード７の貸出時には、ＩＣカード７を貸出す処理に専念できる。
【００６６】
次に、利用者Ｐが受付にＩＣカード７を返却することで行われる利用終了受付時の処理である返却処理について説明する。返却処理は、複数のＩＣカード７をまとめてグループとして貸し出した場合であっても、グループに関係なく行うことができるものである。また、貸出時に異なるグループのものとして処理がされたものであっても、グループに関係なく一度に処理ができる。図１５は、第２実施形態に係るカード識別情報管理システム２００での返却処理のフローチャートである。図１６は、第２実施形態に係るカード返却画面２７３の例を示す図である。図１７は、第２実施形態に係るＩＣカード返却処理のフローチャートである。
図１５のＳ２６０において、受付のオペレータの操作により、受付システム２０１の制御部２１０は、カード返却画面２７３を表示部２３６に表示する。図１６に示すように、カード返却画面２７３は、読取開始を指示するボタン２７３ｂが表示されている。
Ｓ２６１において、受付のオペレータが、ボタン２７３ｂをクリックすることで、指示受付部２１４は、読取開始の指示を受け付ける。なお、ボタン２７３ｂをクリックすることで、制御部２１０は、図１６（２）に示すように、ボタン２７３ｂのプロパティを読取開始から読取終了に変更する。
Ｓ２６２において、カード処理部２１１は、Ｒ／Ｗ部３０を読取可能な状態に制御する。
Ｓ２６３において、制御部２１０は、図１７に示すＩＣカード返却処理を行う。
【００６７】
ここで、ＩＣカード返却処理について説明する。
図１７のＳ２７０からＳ２７２まで、Ｓ２８０からＳ２８３まで、及びＳ２９０からＳ２９２までの処理は、第１実施形態の図７のＳ５０からＳ５２まで、Ｓ４１からＳ４４まで、及びＳ４５からＳ４７までの処理と同じである。
Ｓ２８４において、制御部２１０は、カード返却画面２７３の更新処理を行う。具体的には、図１６（２）に示すように、カードＩＤ領域８２を読み取ったカードＩＤを表示し、読込枚数をカウントアップする。
【００６８】
図１７に戻り、Ｓ２８５において、制御部２１０は、グループＤＢ２２６に当該グループＩＤのレコードがあるか否かを判断する。グループＤＢ２２６に当該グループＩＤのレコードがある場合（Ｓ２８５：ＹＥＳ）には、制御部２１０は、処理をＳ２８６に移す。他方、グループＤＢ２２６に当該グループＩＤのレコードがない場合（Ｓ２８５：ＮＯ）には、制御部２１０は、本処理を終了し、処理を図１５のＳ２６４に戻す。なお、グループＤＢ２２６に当該グループＩＤのレコードがない場合とは、例えば、グループによる貸出ではなく、１枚のみ貸出をした場合である。なお、１枚のみの貸出の場合であっても、グループとしてグループＩＤを作成してもよい。
Ｓ２８６において、制御部２１０は、上述の処理をしたカードＩＤに対応するグループＤＢ２２６の当該グループＩＤの他のカードＩＤのＩＣカード７に「使用中」のものがあるか否かを、利用ＤＢ２４を参照して確認する。「使用中」のものがある場合（Ｓ２８６：ＹＥＳ）には、制御部２１０は、本処理を終了し、処理を図１５のＳ２６４に戻す。他方、「使用中」のものがない場合（Ｓ２８６：ＮＯ）には、制御部２１０は、処理をＳ２８７に移す。
この場合は、当該グループＩＤに対応するカードＩＤのＩＣカード７は、全て返却済である。そこで、Ｓ２８７において、制御部２１０は、当該グループＩＤのレコードを更新し、グループステータスを「一時停止」にする。その後、制御部２１０は、処理を図１５のＳ２６４に戻す。
なお、Ｓ２８５からＳ２８７までの処理は、Ｓ２８１の後に行ってもよいし、Ｓ２８２の処理と同時に行ってもよい。
【００６９】
図１５に戻り、Ｓ２６４において、指示受付部２１４は、読取終了の指示を受け付けたか否かを判断する。読取終了の指示を受け付けた場合（Ｓ２６４：ＹＥＳ）には、指示受付部２１４は、処理をＳ２６５に移す。他方、読取終了の指示を受け付けていない場合（Ｓ２６４：ＮＯ）には、制御部２１０は、処理をＳ２６３に移す。
Ｓ２６５において、カード処理部２１１は、Ｒ／Ｗ部３０を読取不可な状態（読取終了）に制御する。その後、制御部２１０は、本処理を終了する。
このように、カード識別情報管理システム２００は、カード返却処理も複数枚のＩＣカードに対して行うことができる。
【００７０】
このように、第２実施形態によれば、以下のような効果がある。
（１）受付システム２０１によって、複数枚のＩＣカード７を連続して順番にＲ／Ｗ部３０に読み取らせることで、複数枚のＩＣカード７を一度にゲートシステム４で使用できる状態にすることができる。よって、受付のオペレータが複数枚のＩＣカード７を連続して順番にＲ／Ｗ部３０に読み取らせるという容易な操作をするだけで、複数枚のＩＣカード７をゲートシステム４で使用できる状態にできる。
（２）カード識別情報管理システム２００は、連続して読み取った複数枚のＩＣカード７を１つのグループとしてまとめて記憶することで、一連の処理をした複数枚のＩＣカード７を１つのグループとして管理ができる。よって、１枚ずつの管理と比較して、管理負担を低減できる。
（３）カード識別情報管理システム２００において、グループごとにグループ付加情報を記憶するので、複数枚のＩＣカード７をグループごとに管理ができる。また、１枚ごとにするよりも、オペレータによるグループ付加情報の入力を省力化できる。
【００７１】
（４）受付システム２０１において、予め受け付けた貸出枚数を超えてカード処理を行わないようにできる。よって、不要な枚数のＩＣカード７の処理を防止できる。
（５）利用終了受付時のＩＣカード７の返却処理をまとめて行うことができる。例えば、グループ単位で利用開始時の処理を行ったＩＣカード７であっても、利用終了受付時の処理は、グループに関係なく行える。よって、グループのうちの一部の利用者Ｐが先に返却する等、実際のＩＣカード７の利用実態に即して利用終了受付時に処理ができる。さらに、複数枚のＩＣカード７の返却に際し、グループが異なる場合であっても返却処理ができるので、受付のオペレータの操作が容易である。
【００７２】
（６）受付システム２０１において、読取開始の指示を受け付けたことで、Ｒ／Ｗ部３０を読取可能な状態に制御するので、例えば、ＩＣカード７を使用できるようにしたい場合にのみ操作を受け付けることで、受付システム２０１を読取可能な状態にでき、不用意にＩＣカード７が読み取られる、といった誤操作を防止できる。
（７）受付システム２０１において、読取終了の指示を受け付けたことで、Ｒ／Ｗ部３０を読取不可の状態に制御するので、例えば、複数枚のＩＣカード７を連続して順番に読み取らせている途中で、利用開始時の処理を終了したい場合に、読取終了の指示を受け付けることで読取不可の状態にでき、不用意にＩＣカード７が読み取られる、といった誤操作を防止できる。
【００７３】
（第３実施形態）
第３実施形態では、社員が社員証である社員証カード（本カード）を予め所有しており、社員証カードを忘れた等による理由で、臨時に貸出用のＩＣカードを貸出すものについて説明する。処理をしたＩＣカードは、社員証カードと同様に使用可能になる。
【００７４】
図１８は、第３実施形態に係るカード識別情報管理システム３００の全体構成を示す図である。
カード識別情報管理システム３００は、受付システム３０１と、ゲートシステム３０４（第１装置）と、ＩＣカード３０７と、プリンタシステム３０９（第２装置）とを備える。
受付システム３０１は、受付サーバ３０２と、受付端末３０３とから構成されている。
ゲートシステム３０４は、ゲート管理サーバ３０５と、ゲート３０６とから構成されている。
ＩＣカード３０７は、社員ＡがセキュリティエリアＳａに入る場合に、ゲート３０６を通過する際に用いる。また、ＩＣカード３０７は、社員Ａがプリンタシステム３０９を使用する際に用いる。
プリンタシステム３０９は、社員Ａが図示しないＰＣ（パーソナルコンピュータ）等の端末からプリンタへの出力を指示した場合に、ＩＣカード３０７を使用することで社員Ａを認証して、印刷物を出力する。なお、プリンタシステム３０９は、通信ネットワークＮを介していないが、通信ネットワークＮを介していてもよい。
【００７５】
次に、社員ＡによるセキュリティエリアＳａへの入室及びプリンタシステム３０９による印刷物の出力の流れについて説明する。
社員証カードを忘れた社員Ａは、まず、受付端末３０３が設けられた受付に行き、貸出処理がされたＩＣカード３０７を受付のオペレータから受領する（＃３０１）。
その後、社員Ａは、受領したＩＣカード３０７を携行し、ゲート３０６に向かう（＃３０２）。そして、社員Ａは、ＩＣカード３０７をゲート３０６のリーダ６ａに近づけてかざす（タッチする）（＃３０３）ことで、ＩＣカード３０７は、ゲート３０６との間で通信を行う。ゲート３０６は、ゲート管理サーバ３０５に対して、当該ＩＣカード３０７がこのゲート３０６を開けてよいものであるか否かを照会する。そして、ゲート管理サーバ３０５がこのゲート３０６の開放を許可した場合に、ゲート３０６が開放され、社員Ａは、ゲート３０６を通過する（＃３０４）。ゲート３０６は、社員Ａがゲート３０６を通過したことで、そのゲート３０６を閉じる。
【００７６】
また、社員Ａは、プリンタシステム３０９のリーダ９ａにＩＣカード３０７を近づけてかざす（タッチする）（＃３０５）ことで、ＩＣカード３０７は、プリンタシステム３０９との間で通信を行う。プリンタシステム３０９は、社員Ａの認証を行う。つまり、プリンタシステム３０９は、ＩＣカード３０７により印刷物を出力してよいか否かの確認を行う。そして、印刷物を出力してもよい場合と確認されたに、プリンタシステム３０９は、当該社員Ａが出力を指示した印刷物を出力する。
【００７７】
次に、カード識別情報管理システム３００の機能構成について説明する。図１９は、第３実施形態に係るカード識別情報管理システム２００の機能構成を示す図である。図２０は、第３実施形態に係る各システムに記憶されたデータベースの例を示す図である。
カード識別情報管理システム３００の受付システム３０１は、制御部３１０と、記憶部３２０と、Ｒ／Ｗ部３０と、Ｉ／Ｆ部３２と、操作部２３４と、表示部２３６とを備える。
制御部３１０は、カード処理部２１１と、送信部１２と、情報受付部２１３と、指示受付部２１４との他に、社員情報受付部３１５（利用者情報受付部）と、社員特定部３１６（利用者特定部）と、社員処理部３１７（第２カード処理部）と、処理カード取得部３１８（貸出用カード取得部）と、連動処理部３１９（貸出処理部）とを備える。なお、カード処理部２１１と、情報受付部２１３と、指示受付部２１４とは、第２実施形態と同様である。
社員情報受付部３１５は、社員Ａを特定するための社員情報（利用者情報）として、例えば、社員ＩＤ（利用者識別情報）や氏名等の入力を受け付ける制御部である。
社員特定部３１６は、社員情報受付部３１５が受け付けた社員情報に基づいて、社員Ａを特定する制御部である。
社員処理部３１７は、ＩＣカード３０７に社員証カードと同様の機能をさせるための処理として、社員ＩＤをプリンタ読取領域３８３に記憶させる制御部である。
処理カード取得部３１８は、ＩＣカード３０７のカードＩＤを取得する制御部である。
連動処理部３１９は、ＩＣカード３０７に情報を記憶させたことで、社員Ａの社員証カード（図示せず）をゲートシステム３０４で使用できないようにする制御部である。
【００７８】
記憶部３２０は、マスタＤＢ２２と、利用ＤＢ２４（貸出用カード記憶部）との他に、社員ＤＢ３２３（利用者情報記憶部）と、関連付けＤＢ３２７とを備える。
社員ＤＢ３２３は、社員に関するデータを記憶するデータベースである。
図２０（ａ）に示すように、社員ＤＢ３２３は、社員ＩＤをキー情報として、氏名と、ステータスと、権限と、発行回数との各データを記憶する。社員ＤＢ３２３は、その他、社員の部署名、連絡先等のデータを記憶していてよい。ステータスは、社員証カードのステータスであり、ＩＣカード３０７を貸出す前は、「使用中」である。権限は、社員証カードを使用してゲート３０６を開錠できるか否かをあらわすセキュリティランクである。発行回数は、社員証カードの発行回数であり、初めての発行の場合には「０１」である。発行回数は、社員証カードを紛失等して再発行した場合には、「０２」、「０３」、・・・と回数がカウントアップされる。
関連付けＤＢ３２７は、図２０（ｂ）に示すような社員に貸し出したＩＣカード３０７のカードＩＤと、その社員の社員ＩＤとを関連付けて記憶するデータベースである。
【００７９】
ゲートシステム３０４は、制御部３４０と、記憶部３５０と、リーダ部６０と、Ｉ／Ｆ部６２とを備える。
制御部３４０は、動作許可部４２の他に、照合部３４１と、更新部３４３とを備える。
照合部３４１は、読み取ったＩＣカード３０７のカードＩＤが、ゲート３０６の開放を許可するものであるか否かを、記憶部３５０の照合ＤＢ３５２及びゲートＤＢ５４を参照して照合する制御部である。
更新部３４３は、受付システム３０１から受信した更新データに基づいて、記憶部３５０の照合ＤＢ３５２を更新する制御部である。
記憶部３５０は、ゲートＤＢ５４の他に、照合ＤＢ３５２を備える。
照合ＤＢ３５２は、図２０（ｃ）に示すように、カードＩＤと権限との他に、発行回数と、有効期限と、有効ステータスとの各データを記憶する。照合ＤＢ３５２は、カードＩＤとして、ＩＣカード３０７のカードＩＤ（Ｘ）の他、社員証カードのカードＩＤ（Ｙ）を記憶する。つまり、照合ＤＢ３５２は、貸出用のカードと、社員証カードとの両方のデータを記憶している。社員証カードの場合のカードＩＤは、社員ＩＤである。発行回数は、社員証カードの場合に、社員証カードの発行回数を記憶し、ＩＣカード３０７の場合は、空欄である。ゲートシステム３０４は、ＩＣカード３０７の場合には、カードＩＤを用いて照合し、社員証カードの場合には、カードＩＤと発行回数とを用いて照合を行う。有効期限は、カードＩＤに対応する有効期限を記憶する。有効ステータスは、社員証カードの場合、その社員証カードが有効であれば「１」を、有効でなければ「０」を記憶し、ＩＣカード３０７の場合には、空欄である。
【００８０】
図１９に戻り、ＩＣカード３０７は、ＣＰＵ３７０と、記憶部３８０と、Ｉ／Ｆ部８５とを備える。
ＣＰＵ３７０は、ＩＣカード３０７の全体を制御する中央処理装置である。
記憶部３８０は、ゲート読取領域８１と、カードＩＤ領域８２との他に、プリンタ読取領域３８３（第２記憶領域）を備える。
プリンタ読取領域３８３は、プリンタシステム３０９のリーダ部３９８によって読み取りが可能な位置に配置された記憶領域である。プリンタ読取領域３８３は、例えば、ＥＰＲＯＭにより構成してよい。プリンタ読取領域３８３は、書き込みや消去が可能な記憶領域である。
【００８１】
プリンタシステム３０９は、制御部３９０と、記憶部３９５と、リーダ部３９８とを備える。
制御部３９０は、プリンタシステム３０９の全体を制御するＣＰＵである。制御部３９０は、記憶部３９５に記憶されているＯＳや、各種のアプリケーションプログラムを適宜読み出して実行することにより、上述したハードウェアと協働し、本発明に係る各種機能を実現している。
制御部３９０は、照合部３９１と、動作許可部３９２とを備える。
照合部３９１は、読み取ったＩＣカード３０７のカードＩＤが、プリンタシステム３０９からの印刷物の出力を許可するものであるか否かを、記憶部３９５の社員ＤＢ３９６を参照して照合する制御部である。
動作許可部３９２は、照合部３９１によって許可するものであると判断された場合に、対象の印刷物をプリンタシステム３０９から出力させる制御部である。
【００８２】
記憶部３９５は、制御部３９０を実行するために必要なプログラム、データ等を記憶するためのハードディスク、半導体メモリ素子等の記憶領域である。
記憶部３９５は、社員ＤＢ３９６を備える。
図２０（ｄ）に示すように、社員ＤＢ３９６は、社員ＩＤの項目を有する。社員ＤＢ３９６に記憶されている社員ＩＤは、社員の採用、退職、人事異動等により、追加及び削除がされるものである。
図１９に戻り、リーダ部３９８は、リーダ９ａ（図１８参照）であり、ＩＣカード３０７との間のインタフェースである。リーダ部３９８は、ＩＣカード３０７の記憶部３８０のうち、予め定められたプリンタ読取領域３８３を読み取る。
【００８３】
次に、社員Ａが受付に訪れた際に、利用開始受付時の処理として、受付のオペレータが社員証カードに代わるＩＣカード３０７を社員Ａに貸し出す際の処理について説明する。
図２１は、第３実施形態に係るカード識別情報管理システム３００での貸出処理のフローチャートである。図２２は、第３実施形態に係るカード貸出照会画面３７４の例を示す図である。図２３は、第３実施形態に係るカード貸出画面３７１の例を示す図である。
図２１のＳ３１０において、受付システム３０１の制御部３１０は、図２２（１）に示すようなカード貸出照会画面３７４を表示部２３６に表示させる。
図２２（１）のカード貸出照会画面３７４は、社員にＩＣカード３０７を貸出す際のものである。
図２１に戻り、Ｓ３１１において、社員特定部３１６は、社員を特定する。具体的には、受付のオペレータは、社員ＩＤ及び氏名のうち少なくともいずれかを社員Ａから聞いた上で、図２２（１）のカード貸出照会画面３７４に入力して、検索処理を実行するボタン３７４ｂを選択する。そうすることで、社員情報受付部３１５は、社員情報を受け付け、制御部３１０は、図２２（２）に示すような検索結果画面３７５をカード貸出照会画面３７４の上面に出力する。そして、オペレータが検索結果から１つのレコードを選択して、「ユーザ選択」と書かれたボタン３７５ｂを選択することで、社員特定部３１６は、社員を特定する。そして、制御部３１０は、図２３（１）に示すカード貸出画面３７１を表示する。
このカード貸出画面３７１は、社員Ａの顔写真データを出力する。この顔写真データにより、受付のオペレータは、受付を訪れた社員Ａが本人であるか否かを確認できる。
図２１に戻り、Ｓ３１２において、情報受付部２１３は、ＩＣカード３０７の貸出理由及び貸出すＩＣカード３０７の有効期限を受け付ける。
Ｓ３１３において、オペレータがボタン３７１ｂをクリックすることで、指示受付部２１４は、読取開始の指示を受け付ける。
Ｓ３１４において、カード処理部２１１は、Ｒ／Ｗ部３０を読取可能な状態に制御する。
【００８４】
Ｓ３３０において、受付のオペレータが、社員Ａのセキュリティのランクに合うＩＣカード３０７を用意して、そのＩＣカード３０７をＲ／Ｗ部３０にかざして近づける（タッチする）ことで、ＩＣカード３０７のＣＰＵ３７０は、カードＩＤ領域８２からカードＩＤを送出し、Ｓ３１５において、受付システム３０１のカード処理部２１１は、Ｒ／Ｗ部３０を制御して、ＩＣカード３０７のカードＩＤ領域８２に記憶されたカードＩＤを読み取り、処理カード取得部３１８は、ＩＣカード３０７のカードＩＤを取得する。
Ｓ３１６において、制御部３１０（カード処理部２１１及び社員処理部３１７）は、読み取ったカードＩＤ領域８２のカードＩＤと、カード貸出画面３７１に表示されている社員ＩＤとを、ＩＣカード３０７に対して書き込む。
【００８５】
Ｓ３３１において、ＩＣカード３０７のＣＰＵ３７０は、受付システム３０１からカードＩＤ及び社員ＩＤを受信する。
Ｓ３３２において、ＣＰＵ３７０は、受信したカードＩＤをゲート読取領域８１に書き込む。これによって、ＩＣカード３０７は、カードＩＤ領域８２と同じカードＩＤがゲート読取領域８１に書き込まれたものになる。
Ｓ３３３において、ＣＰＵ３７０は、受け付けた社員ＩＤをプリンタ読取領域３８３に書き込む。これによって、ＩＣカード３０７は、社員証カードと同じように、社員ＩＤがプリンタ読取領域３８３に書き込まれたものになる。ここで、本処理を行う前に受付にストックされていたＩＣカード７のプリンタ読取領域３８３は、空の状態である。
なお、受付システム３０１の制御部３１０は、所定時間を経過後に、Ｒ／Ｗ部３０を制御して、ＩＣカード３０７のゲート読取領域８１及びプリンタ読取領域３８３を読み取り、Ｓ３３２及びＳ３３３での書き込みが正常に行われたかを確認する。その後、ＩＣカード３０７のＣＰＵ３７０は、本処理を終了する。
このようにして、カードＩＤがゲート読取領域８１に書き込まれ、社員ＩＤがプリンタ読取領域３８３に書き込まれたＩＣカード３０７は、受付のオペレータによって社員Ａに渡される。そして、社員Ａは、渡されたＩＣカード３０７をゲートシステム３０４に用いることで、セキュリティエリアＳａに入室できる。また、社員Ａは、このＩＣカード３０７をプリンタシステム３０９に用いることで、社員Ａが出力を指示した印刷物を出力できる。
【００８６】
上述の処理により、ＩＣカード３０７のゲート読取領域８１及びプリンタ読取領域３８３への書き込みが正常に行われたことが確認されたので、Ｓ３１７において、制御部３１０は、記憶部３２０の利用ＤＢ２４を更新する。具体的には、制御部３１０は、利用ＤＢ２４に記憶されている貸出処理をしたＩＣカード３０７のカードＩＤに対応するステータスを更新する。
Ｓ３１８において、制御部３１０（連動処理部３１９）は、記憶部３２０の社員ＤＢ３２３を更新する。具体的には、制御部３１０は、社員ＤＢ３２３のＩＣカード３０７を貸し出した社員Ａの社員ＩＤに対応するステータスを「使用中」から「一時停止」に変更する。
【００８７】
Ｓ３１９において、送信部１２は、更新データをゲートシステム３０４に対して送信する。更新データは、２つある。１つは、ＩＣカード３０７のカードＩＤと、権限と、有効期限とからなるデータである。カードＩＤは、利用ＤＢ２４に記憶されているデータのうち、更新のあったカードＩＤである。権限は、社員ＤＢ３２３に記憶されている、ＩＣカード３０７を貸し出した社員Ａの社員ＩＤの権限である。有効期限は、カード貸出画面３７１に表示された有効期限である。また、もう１つは、社員ＩＤと、有効ステータスとからなるデータである。社員ＩＤは、カード貸出画面３７１に表示された社員ＩＤであり、有効ステータスは、無効をあらわす「０」である。
【００８８】
Ｓ３２０において、制御部３１０は、カード貸出画面３７１を更新する。具体的には、図２３（２）に示すように、制御部３１０は、読み取ったＩＣカード３０７のカードＩＤを出力する。また、制御部３１０は、カード貸出画面３７１のボタン３７１ｂを消去し、終了のボタン３７１ｅを出力する。
Ｓ３２１において、カード処理部２１１は、Ｒ／Ｗ部３０を読取不可の状態に制御する。
Ｓ３２２において、制御部３１０は、関連付けＤＢ３２７にレコードを追加して、関連付けＤＢ３２７を更新する。その後、受付システム３０１の制御部３１０は、本処理を終了する。
【００８９】
Ｓ３４０において、ゲートシステム３０４の制御部３４０は、更新データを受信する。
Ｓ３４１において、制御部３４０は、所定の更新時間であるか否かを判断する。所定の更新時間ではない場合（Ｓ３４１：ＮＯ）には、制御部３４０は、Ｓ３４１にとどまる。他方、所定の更新時間である場合（Ｓ３４１：ＹＥＳ）には、制御部３４０は、処理をＳ３４２に移す。
Ｓ３４２において、更新部３４３は、受信した更新データを照合ＤＢ３５２に反映させることで、照合ＤＢ３５２を更新する。具体的には、更新部３４３は、ＩＣカード３０７に関する更新データに基づき、カードＩＤに対応する権限と有効期限とを更新する。また、更新部３４３は、社員証カードに関する更新データに基づき、社員ＩＤに対応する有効ステータスを「０」に変更する。その後、ゲートシステム３０４の制御部３４０は、本処理を終了する。
【００９０】
次に、社員Ａが、貸出処理がされたＩＣカード３０７を用いてゲートシステム３０４を通過する際の処理について説明する。ゲートシステム３０４での照合処理は、第１実施形態の図６とほぼ同様である。カード識別情報管理システム３００は、社員証カードであっても、ＩＣカード３０７であっても対応可能なようになっており、社員証カードの場合には、ゲート読取領域８１には、社員ＩＤと発行回数とを記憶している。そして、Ｓ３４の許可する条件を満たすか否かの処理が、第１実施形態では、照合ＤＢ５２の権限と、ゲートＤＢ５４の権限とを確認しているのに対して、本実施形態では、それに追加して、有効期限内であるか否かを確認する。また、本実施形態では、有効ステータスが空欄ではない場合、つまりカードＩＤが社員ＩＤの場合には、有効ステータスが有効をあらわす「１」であるか否かを確認する。
このようにすることで、社員Ａが社員証カードを忘れてＩＣカード３０７を使用した場合に、ゲートシステム３０４を通過できる。また、ＩＣカード３０７が使用中のままの状態で社員証カードを使用した場合には、ゲートシステム３０４は、その社員証カードでの通過を禁止できる。このため、社員証カードを不正に取得した者が、社員Ａになりすましてゲート３０６を通過するような事態を抑制できる。
【００９１】
次に、社員Ａが、貸出処理がされたＩＣカード３０７を用いてプリンタシステム３０９を利用する際の処理について説明する。図２４は、第３実施形態に係るプリンタシステム３０９での照合処理のフローチャートである。
Ｓ３８０において、プリンタシステム３０９の制御部３９０は、ＩＣカード３０７のプリンタ読取領域３８３の読取が可能な状態にリーダ９ａを制御し、社員ＩＤを要求している。
ステップＳ３８０ａにおいて、社員Ａが携行するＩＣカード３０７をプリンタシステム３０９のリーダ９ａ（図１８）にかざして近づける（タッチする）ことで、ＩＣカード３０７のＣＰＵ３７０は、プリンタ読取領域３８３に記憶されている社員ＩＤを送出し、Ｓ３８１において、プリンタシステム３０９の制御部３９０は、リーダ部３９８を制御して、ＩＣカード３０７のプリンタ読取領域３８３の社員ＩＤを読み取る。
Ｓ３８２において、プリンタシステム３０９の照合部３９１は、リーダ部３９８を介して読み取ったプリンタ読取領域３８３に記憶されている社員ＩＤと、社員ＤＢ３９６とを照合する。具体的には、照合部３９１は、プリンタ読取領域３８３に記憶されている社員ＩＤと同一の社員ＩＤが社員ＤＢ３９６に存在するか否かを照合する。
【００９２】
Ｓ３８３において、Ｓ３８２での照合の結果、プリンタシステム３０９が読み取った社員ＩＤが社員ＤＢ３９６に存在した場合（Ｓ３８３：ＹＥＳ）には、制御部３９０は、処理をＳ３８４に移す。他方、プリンタシステム３０９が読み取った社員ＩＤが社員ＤＢ３９６に存在しない場合（Ｓ３８３：ＮＯ）には、制御部３９０は、印刷物を出力することなく、本処理を終了する。
Ｓ３８４において、制御部３９０は、当該社員ＩＤでの出力対象の印刷データがあるか否かを判断する。当該社員ＩＤでの出力対象の印刷データがある場合（Ｓ３８４：ＹＥＳ）には、制御部３９０は、処理をＳ３８５に移す。他方、当該社員ＩＤでの出力対象の印刷データがない場合（Ｓ３８４：ＮＯ）には、制御部３９０は、本処理を終了する。
Ｓ３８５において、動作許可部３９２は、当該社員ＩＤでの出力対象の印刷データを処理して、印刷物を出力する。その後、制御部３９０は、本処理を終了する。
このようにすることで、社員Ａが社員証カードを忘れてＩＣカード３０７を使用した場合に、プリンタシステム３０９から印刷物を出力できる。
【００９３】
次に、社員Ａが受付にＩＣカード３０７を返却することで行われる利用終了受付時の処理である返却処理について説明する。返却処理のフローチャートは、第２実施形態の図１５のフローチャートと同様であるが、Ｓ２６３のＩＣカード返却処理のみが異なる。図２５は、第３実施形態に係るＩＣカード返却処理のフローチャートである。
Ｓ３５０において、受付のオペレータが、返却されたＩＣカード３０７をＲ／Ｗ部３０に近づけてかざす（タッチする）ことで、ＩＣカード３０７のＣＰＵ３７０は、カードＩＤ領域８２からカードＩＤを送出し、Ｓ３６０において、受付システム３０１のカード処理部２１１は、Ｒ／Ｗ部３０を制御して、ＩＣカード３０７のカードＩＤ領域８２に記憶されたカードＩＤを読み取る。
また、Ｓ３５１において、ＩＣカード３０７のＣＰＵ３７０は、プリンタ読取領域３８３から社員ＩＤを送出し、Ｓ３６１において、社員処理部３１７は、Ｒ／Ｗ部３０を制御して、ＩＣカード３０７のプリンタ読取領域３８３に記憶された社員ＩＤを読み取る。
Ｓ３６２において、カード処理部２１１及び社員処理部３１７は、Ｒ／Ｗ部３０を制御して、ＩＣカード３０７のゲート読取領域８１及びプリンタ読取領域３８３のデータを消去するための消去命令を、ＩＣカード３０７に対して出力する。
【００９４】
Ｓ３５２において、ＩＣカード３０７のＣＰＵ３７０は、受付システム３０１から消去命令を受信する。
Ｓ３５３において、ＩＣカード３０７のＣＰＵ３７０は、ゲート読取領域８１に既に記憶していたカードＩＤを消去する。
Ｓ３５４において、ＩＣカード３０７のＣＰＵ３７０は、プリンタ読取領域３８３に既に記憶していた社員ＩＤを消去する。
なお、受付システム３０１の制御部３１０は、所定時間を経過後に、Ｒ／Ｗ部３０を制御して、ＩＣカード３０７のゲート読取領域８１及びプリンタ読取領域３８３を読み取り、Ｓ３５２及びＳ３５３での書き込みが正常に行われたかを確認する。その後、ＩＣカード３０７のＣＰＵ３７０は、本処理を終了する。
このようにして、ＩＣカード３０７は、ゲート読取領域８１及びプリンタ読取領域３８３を空の状態にする。よって、万が一このＩＣカード３０７が盗まれて不正に使用しようとしても、ゲート読取領域８１にカードＩＤを記憶しておらず、プリンタ読取領域３８３に社員ＩＤを記憶していないので、ゲートシステム３０４及びプリンタシステム３０９では処理が行われないものにでき、不正使用を抑制できる。
【００９５】
上述の処理によって、ＩＣカード３０７のゲート読取領域８１及びプリンタ読取領域３８３への書き込みが正常に行われたことが確認されたので、Ｓ３６３において、受付システム３０１の制御部３１０は、記憶部３２０の利用ＤＢ２４を初期化する。
Ｓ３６４において、制御部３１０（連動処理部３１９）は、社員ＤＢ３２３を更新する。具体的には、関連付けＤＢ３２７を参照し、返却処理をしたＩＣカード３０７のカードＩＤに対応する社員ＩＤのステータスを、「一時停止」から「使用中」に変更する。
【００９６】
Ｓ３６５において、送信部１２は、更新データをゲートシステム３０４に対して送信する。更新データは、１つは、利用ＤＢ２４の記憶されているデータのうち、更新のあったカードＩＤと、カードＩＤに対応する権限と、有効期限とからなるデータである。もう１つは、社員ＩＤと、有効ステータスとからなるデータである。有効ステータスは、有効をあらわす「１」である。
Ｓ３６６において、制御部３１０は、カード返却画面の更新処理を行う。これは、第２実施形態の図１７のＳ２８４と同じである。
Ｓ３６７において、制御部３１０は、関連付けＤＢ３２７から該当のレコードを削除して、関連付けＤＢ３２７を更新する。その後、受付システム３０１の制御部３１０は、返却処理に戻る。
【００９７】
Ｓ３７０及びＳ３７１は、貸出処理のフローチャートである図２１のＳ３４０及びＳ３４１と同様である。
Ｓ３７２において、更新部３４３は、受信した更新データを照合ＤＢ３５２に反映させることで、照合ＤＢ３５２を更新する。具体的には、更新部３４３は、ＩＣカード３０７に関する更新データに基づき、カードＩＤに対応する権限と有効期限とを更新する。また、更新部３４３は、社員証カードに関する更新データに基づき、社員ＩＤに対応する有効ステータスを「１」に変更する。その後、ゲートシステム３０４の制御部３４０は、本処理を終了する。
【００９８】
このように、第３実施形態によれば、以下のような効果がある。
（１）受付システム３０１は、ＩＣカード３０７を読み取ることで、ゲートシステム３０４とプリンタシステム３０９とが読み取り可能なＩＣカード３０７の各々の所定の記憶領域に情報を書き込ませることができる。よって、１つのＩＣカード３０７を、複数の異なる情報を有するものにできる。そして、受付システム３０１によって書き込みがされた１つのＩＣカード３０７を、動作の異なるゲートシステム３０４とプリンタシステム３０９とに対して使用することが可能になる。
（２）社員ＩＤを社員ＤＢ３２３から特定することで、特定された社員ＩＤをプリンタ読取領域３８３に書き込ませることができる。よって、社員ＤＢ３２３に記憶されたデータを用いて書き込むので、受付システム３０１のオペレータによる入力ミス等の誤入力を防止できる。
（３）利用開始受付前は、ＩＣカード３０７のプリンタ読取領域３８３は、プリンタシステム３０９の動作を許可しない状態である。また、受付システム３０１は、利用終了受付時に、プリンタ読取領域３８３をプリンタシステム３０９の動作を許可しない状態にする。よって、例えば、利用開始受付前や利用終了後にＩＣカード３０７が盗まれる等して、プリンタシステム３０９に使用された場合であっても、プリンタシステム３０９に動作をさせずに済む。
（４）受付システム３０１は、利用開始時の操作により、プリンタ読取領域３８３への書き込みを、ゲート読取領域８１への書き込みと同時に一連の処理として行うので、短時間でＩＣカード３０７に対する処理ができる。
【００９９】
（５）カード識別情報管理システム３００は、社員Ａが所有する社員証カードを特定し、貸出するＩＣカード３０７を選択することで、選択したＩＣカード３０７をゲートシステム３０４及びプリンタシステム３０９に対して使用可能にすると共に、社員Ａが所有する社員証カードをゲートシステム３０４に対して使用不可にする。よって、例えば、社員Ａが社員証カードを忘れた場合に、カード識別情報管理システム３００は、ＩＣカード３０７を社員証カードと同じように使用させることができる。
また、ＩＣカード３０７をゲートシステム３０４に対して使用可能にすると共に、社員証カードを使用不可にするので、ＩＣカード３０７と社員証カードとの両方のカードが使用できる状態になることを防ぐことができ、セキュリティ性が向上する。
さらに、社員証カードを特定した上で、ＩＣカード３０７を１つ選択するという操作だけで、社員Ａが所有する社員証カードを自動的に使用不可にできる。
【０１００】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【０１０１】
（変形形態）
（１）各実施形態では、ＩＣカードのゲート読取領域は、初期状態として何もデータがない空の状態であって、返却処理時にもゲート読取領域を空のデータを記憶させることで空の状態にするものであった。しかし、ゲート読取領域には、ゲートシステムがゲートの開放を許可しないランダムな文字列や、一律に初期値のデータ等（例えば、「ｚｚｚｚｚｚｚ」）のダミーデータを格納しておいてもよい。いずれの場合でも、そのＩＣカードを用いてもゲートシステムがゲートの開放を許可しないようにでき、ゲートシステムのセキュリティが保たれる。
（２）第３実施形態では、ＩＣカードのプリンタ読取領域は、ゲート読取領域と同じように、初期状態として何もデータがない空の状態であって、返却処理時にもプリンタ読取領域を空のデータを記憶させることで空の状態にするものであった。しかし、プリンタ読取領域には、プリンタシステムが印刷物の出力を許可しないランダムな文字列や、一律に初期値のデータを格納しておいてもよい。
【０１０２】
（３）各実施形態では、ＩＣカードを用いてセキュリティを保つための装置として、ゲートを例に説明したが、これに限定されない。
（４）第３実施形態では、プリンタシステムを例に説明したが、これに限定されない。例えば、複合機、ＰＣ等、社員ＩＤが関連付けられたデータに対して処理を行うものであれば、どのようなものにでも用いることができる。
（５）第１及び第２実施形態では、カードＩＤ領域にカードＩＤを記憶させるものとして説明した。しかし、カードＩＤ領域に記憶させるのは、カードＩＤ以外に、例えば、発行回数を記憶させてもよい。このようにすることで、カードＩＤが、例えば、社員番号等の変更が不可である番号であっても、そのカードＩＤを用いてセキュリティを保つことができる。
【０１０３】
（６）第１実施形態では、ＩＣカードの紛失時や、返却がされなかった場合に、受付システムから送信された更新データに基づいて、ゲートシステムでは、照合ＤＢのレコードを削除するものとして説明した。しかし、照合ＤＢに無効フラグ等の項目を有し、更新データに基づいて、有効を示す「０」となっていたものを無効を示す「１」に変更するようにしてもよい。そして、返却されなかったＩＣカードが後に返却された場合には、更新データに基づいて、無効を示す「１」から有効を示す「０」に変更すればよい。
（７）各実施形態では、リーダやリーダライタは、ＩＣカードと非接触の通信ができるものとして説明したが、接触式のものであってもよい。
【０１０４】
（８）各実施形態では、受付システムを、受付サーバと受付端末とを備える構成として説明した。しかし、受付システムを受付サーバと受付端末との機能を有する１台のコンピュータによって構成してもよいし、複数台の受付サーバと、複数台の受付端末により構成されてもよい。
（９）各実施形態では、ゲートシステムを、ゲート管理サーバとゲートとを備える構成として説明した。しかし、例えば、ゲートシステムをゲート管理サーバの機能を有するゲートにより構成してもよく、そのゲートが複数台あってもよい。また、例えば、ゲート管理サーバとゲートとの間であって、ゲートの近傍にゲート制御装置を配置して、ゲート管理サーバのデータをゲート制御装置が有して、ゲート制御装置とゲートとが通信することでゲートシステムの機能を発揮してもよい。
（１０）第１及び第２実施形態では、照合ＤＢは、カードＩＤと権限との項目を有するものとして説明したが、これに限定されない。例えば、カードＩＤと権限とに加えて、有効期限等の項目を有していてもよい。そのようにすることで、ゲートシステム側においても、カードＩＤの判定に加えて有効期限内であるか否かを判定することでゲートの開放をするか否かを判断できるので、セキュリティが向上できる。
（１１）第２実施形態では、グループ単位で貸し出した複数枚のＩＣカードが全て返却された場合に、グループＤＢのグループステータスを「一時停止」にするものであったが、グループＤＢの当該レコードを削除してもよい。
【符号の説明】
【０１０５】
１，２０１，３０１  受付システム
２，３０２  受付サーバ
３，３０３  受付端末
３ａ  リーダライタ
４，３０４  ゲートシステム
５，３０５  ゲート管理サーバ
６，３０６  ゲート
６ａ  リーダ
７，３０７  ＩＣカード
１０，４０，２１０，３１０，３４０，３９０  制御部
１１，２１１  カード処理部
１２  送信部
２０，５０，２２０，３２０，３５０，３９５  記憶部
２２  マスタＤＢ
２４  利用ＤＢ
３０  Ｒ／Ｗ部
４１，３４１，３９１  照合部
４２，３９２  動作許可部
４３，３４３  更新部
５２，３５２  照合ＤＢ
５４  ゲートＤＢ
６０  リーダ部
７０，３７０  ＣＰＵ
８１  ゲート読取領域
８２  カードＩＤ領域
１００，２００，３００  カード識別情報管理システム
２１３  情報受付部
２１４  指示受付部
２２６  グループＤＢ
２３４  操作部
２３６  表示部
３０９  プリンタシステム
３１５  社員情報受付部
３１６  社員特定部
３１７  社員処理部
３１８  処理カード取得部
３１９  連動処理部
３２３，３９６  社員ＤＢ
３２７  関連付けＤＢ
３８３  プリンタ読取領域
Ａ    社員
Ｐ    利用者
Ｓａ  セキュリティエリア
【図１】
0006015348.tif 000002
【図２】
0006015348.tif 000003
【図３】
0006015348.tif 000004
【図４】
0006015348.tif 000005
【図５】
0006015348.tif 000006
【図６】
0006015348.tif 000007
【図７】
0006015348.tif 000008
【図８】
0006015348.tif 000009
【図９】
0006015348.tif 000010
【図１０】
0006015348.tif 000011
【図１１】
0006015348.tif 000012
【図１２】
0006015348.tif 000013
【図１３】
0006015348.tif 000014
【図１４】
0006015348.tif 000015
【図１５】
0006015348.tif 000016
【図１６】
0006015348.tif 000017
【図１７】
0006015348.tif 000018
【図１８】
0006015348.tif 000019
【図１９】
0006015348.tif 000020
【図２０】
0006015348.tif 000021
【図２１】
0006015348.tif 000022
【図２２】
0006015348.tif 000023
【図２３】
0006015348.tif 000024
【図２４】
0006015348.tif 000025
【図２５】
0006015348.tif 000026